(57)【特許請求の範囲】
【請求項１】
骨ドリルガイドであって、
ａ）遠位端部と近位端部とを有する軸部と、
ｂ）前記軸部の前記遠位端部に取り付けられた弧状要素であって、前記弧状要素が骨上に着座するサイズを持つ、弧状要素と、
ｃ）前記軸部の前記近位端部に取り付けられたガイドベースであって、前記ガイドベースが少なくとも２つの周縁ガイド孔を備える、ガイドベースと、
ｄ）前記ガイドベース、前記軸部及び前記弧状要素を貫通する内部チャンネルと、
を備え、
前記周縁ガイド孔の各々が前記内部チャンネルの周りに位置付けられる、
骨ドリルガイド。
【請求項２】
前記軸部が約１００ｍｍから約３００ｍｍの長さを有する、請求項１に記載のガイド。
【請求項３】
前記弧状要素が、約１５ｍｍから約６０ｍｍの弧長を持つ凹状面を有する、請求項１又は２に記載のガイド。
【請求項４】
前記弧長が約３９ｍｍである、請求項３に記載のガイド。
【請求項５】
前記弧状要素が、約１０８°の中心角を持つ凹状面を有する、請求項１から４のいずれか１項に記載のガイド。
【請求項６】
前記周縁ガイド孔の各々が、約２ｍｍから約７ｍｍの直径を有する、請求項１から５にいずれか１項に記載のガイド。
【請求項７】
前記内部チャンネルが、約２ｍｍから約７ｍｍの直径を有する、請求項１から６のいずれか１項に記載のガイド。
【請求項８】
前記内部チャンネルが、約１００ｍｍから約３００ｍｍの長さを有する、請求項１から７のいずれか１項に記載のガイド。
【請求項９】
前記周縁ガイド孔の各々が中点を有し、かつ、前記周縁ガイド孔の少なくとも２つが、前記周縁ガイド孔の中点から測定して約１０ｍｍから約３５ｍｍ離れて位置付けられる、請求項１から８のいずれか１項に記載のガイド。
【請求項１０】
前記内部チャンネルが中点を有し、前記中点が、前記周縁ガイド孔の少なくとも２つの中点から約１０ｍｍから約２０ｍｍに位置付けられる、請求項１から９のいずれか１項に記載のガイド。
【請求項１１】
前記周縁ガイド孔の各々の長手軸が、前記内部チャンネルの長手軸に対して実質的に平行である、請求項１から１０のいずれか１項に記載のガイド。
【請求項１２】
前記ガイドが、
ａ）前記軸部が約１００ｍｍから約３００ｍｍの長さを有すること、
ｂ）前記弧状要素が約１５ｍｍから約６０ｍｍの弧長を持つ凹状面を有すること、
ｃ）前記周縁ガイド孔が約２ｍｍから約７ｍｍの直径を有すること、
ｄ）前記内部チャンネルが約２ｍｍから約７ｍｍの直径を有すること、
ｆ）前記周縁ガイド孔が、各々中点を有し、周縁ガイド孔がそれらの中点から測定して約１０ｍｍから約３５ｍｍ離して位置付けられること、
ｇ）前記内部チャンネルが中点を有し、前記周縁ガイド孔の１つ以上の前記中点から約１０ｍｍから約２０ｍｍに位置付けられること、及び
ｈ）前記周縁ガイド孔が前記内部チャンネルに対して実質的に平行であること、
という特徴のうちの２つ以上を備える、請求項１に記載のガイド。
【請求項１３】
特徴ａ）からｈ）の各々を備える、請求項１２に記載のガイド。
【請求項１４】
前記ガイドベースが２つの周縁ガイド孔を含む、請求項１から１３のいずれか１項に記載のガイド。
【請求項１５】
前記周縁ガイド孔の各々が中点を有し、前記内部チャンネルが中点を有し、前記周縁ガイド孔の前記中点が約１３.１ｍｍ離れ、かつ各周縁ガイド孔の前記中点が前記内部チャンネルから前記中点から約１３.２ｍｍにある、請求項１４に記載のガイド。
【請求項１６】
前記ガイドベースが３つの周縁ガイド孔を備える、請求項１から１３のいずれか１項に記載のガイド。
【請求項１７】
前記ガイドベースが４つの周縁ガイド孔を備える、請求項１から１３のいずれか１項に記載のガイド。
【請求項１８】
前記周縁ガイド孔が前記内部チャンネルの周りに放射状に位置付けられる、請求項１６又は１７に記載のガイド。
【請求項１９】
前記周縁ガイド孔の各々が中点を有し、前記内部チャンネルが中点を有し、前記周縁ガイド孔の各々の前記中点が、前記内部チャンネルの前記中点から約１０ｍｍから約２０ｍｍに位置付けられる、請求項１７に記載のガイド。
【請求項２０】
第１の周縁ガイド孔及び第２の周縁ガイド孔の前記中点が約２６.４ｍｍ離れ、第３の周縁ガイド孔及び第４の周縁ガイド孔の前記中点が約２６.４ｍｍ離れ、前記第１の周縁ガイド孔及び前記第３の周縁ガイド孔の中点並びに前記第２の周縁ガイド孔及び前記第４の周縁ガイド孔の中点が約１３.１ｍｍ離れ、前記周縁ガイド孔の各々の前記中点が前記内部チャンネルの前記中点から約１３.２ｍｍに在り、前記内部チャンネルの前記中点が前記第１の周縁ガイド孔と前記第２の周縁ガイド孔との間及び前記第３の周縁ガイド孔と前記第４の周縁ガイド孔との間のほぼ中間に在る、請求項１９に記載のガイド。
【請求項２１】
前記ガイドベースが４つよりも多い周縁ガイド孔を備える、請求項１から１３のいずれか１項に記載のガイド。
【請求項２２】
前記ガイドが、前記ガイドベースの前記周縁ガイド孔の中へ滑動可能に挿入できる少なくとも２つのスリーブを更に備え、各スリーブがチャンネルを備える、請求項１から２１のいずれか１項に記載のガイド。
【請求項２３】
前記ガイドが、４つの周縁ガイド孔の中へ挿入するための４つのスリーブを更に備える、請求項１から１３及び１７から２２のいずれか１項に記載のガイド。
【請求項２４】
前記スリーブの前記スリーブチャンネルが約４.２ｍｍから約４.３ｍｍの直径及び約１４３.７ｍｍから約１４４ｍｍの長さを有する、請求項２２又は２３に記載のガイド。
【請求項２５】
前記ガイドが、更にハンドルを備える、請求項１から２４のいずれか１項に記載のガイド。
【発明の詳細な説明】
【技術分野】
【０００１】
本発明は、骨欠損治療のための装置特に骨ドリルガイド、その使用方法、及びキットに関する。
【背景技術】
【０００２】
多様な形状及びサイズで利用できる固定具及び装置が、骨折などの骨欠損の修復に長い間使用されてきた。操作者は、典型的には、修復対象の骨を適切な位置に整復し、固定具及び装置を使用して治癒のために骨を前記位置に固定する。
【０００３】
骨プレート又はロッドなどの固定装置は、骨スクリューなどの固定具によって骨に固定できる。又は、骨スクリュー自体を使用して、骨欠損を修復できる。これらの固定装置を設置するために、操作者は、典型的には、穿孔、リーミング、スクリュータッピングのガイドとして及び／又は固定装置を骨の中へ設置する際の助けるのに役立つガイドワイヤ又は同様の装置を骨の中へ挿入する。この方法の利点は、ガイドワイヤの配置、したがって穿孔穴の将来の場所を、穿孔前に、例えばＸ線を用いて確認できることである。ガイドワイヤは、穿孔の際又は骨スクリューなどの装置を骨の中へ挿入する際に安定性及び案内を与えることもできる。
【０００４】
ガイドワイヤの設置は、しばしばフリーハンドの処置であり、ワイヤ配置の前後に、前後及び側面において撮ったＸ線撮影の支援を受けることができる。この処置は、少なからぬ技能を必要とし、多くの場合、適切な位置付けが得られるまで１回以上の試みを伴う。ガイドワイヤを挿入し位置付けする際に頻繁に生じる困難は、外科手術の滑りやすい環境と、骨の所定の位置へ挿入されるとき細いガイドワイヤがぐらついて曲がり易い傾向とにより、より悪化する。多くの処置において、複数のガイドワイヤが、好ましくは相互に平行の関係で、損傷した骨の中へ挿入される。骨内におけるこれらの装置の間の距離及び整列は、手術の成功にとって決定的要因となり得る。
【０００５】
過去において、ガイドワイヤの位置付けを支援するように設計された骨ドリルガイドは、滑りの問題及びＸ線と一緒に使用する際の困難（この両方は、手術時間を長くする可能性があり、このことは患者にとって不都合でありコスト高である）に悩まされてきた。骨の中において不正確な位置に又は他の器材もしくはハードウェアに対して不正確な向きにガイドワイヤを設置することを含めた操作者のエラーは、エラーを補正するために付加的なガイドワイヤを挿入する必要を生じるおそれがある。このようなエラーは、すでに欠陥のある骨を損傷して、骨の脆弱性、骨損傷の増大及び治癒不良を導く可能性がある。
【発明の概要】
【発明が解決しようとする課題】
【０００６】
したがって、滑りの問題に対処し、骨折固定に使用される器材又は装置の正確な空間的向きを保証できる骨ドリルガイドが引き続き必要とされる。
【課題を解決するための手段】
【０００７】
概略的に、本発明は、骨の中へ器材を挿入し骨欠損を治療するための骨ドリルガイド、スリーブ、キット及びその使用方法を特徴とする。
【０００８】
したがって、第１の形態において、本発明は、ａ）近位端部と遠位端部とを有する軸部と、ｂ）軸部の遠位端部に取り付けられた弧状要素であって、弧状要素が骨に着座できるサイズを持つ、弧状要素と、ｃ）軸部の近位端部に取り付けられたガイドベースであって、ガイドベースが少なくとも２つの周縁ガイド孔を含み、周縁ガイド孔の各々が軸部の周りに位置付けられる、ガイドベースと、ｄ）ガイドベース、軸部及び弧状要素を貫通する内部チャンネルと、を含む、骨ドリルガイドを特徴とする。
【０００９】
いくつかの実施形態において、軸部は、約１００ｍｍから約３００ｍｍ、例えば約１００ｍｍ、１１０ｍｍ、１２０ｍｍ、１３０ｍｍ、１４０ｍｍ、１５０ｍｍ、１６０ｍｍ、１７０ｍｍ、１８０ｍｍ、１９０ｍｍ、２００ｍｍ、２１０ｍｍ、２２０ｍｍ、２３０ｍｍ、２４０ｍｍ、２５０ｍｍ、２６０ｍｍ、２７０ｍｍ、２８０ｍｍ、２９０ｍｍもしくは３００ｍｍ又は前記の任意の値に及ぶ範囲内の値の長さを有する。
【００１０】
いくつかの実施形態において、弧状要素は、約１５ｍｍから６０ｍｍ、例えば１５ｍｍ、２０ｍｍ、２５ｍｍ、３０ｍｍ、３５ｍｍ、４０ｍｍ、４５ｍｍ、５０ｍｍ、５５ｍｍ、６０ｍｍ又は前記値の任意の値に及ぶ範囲内の値の弧長を持つ凹状面を有する。いくつかの実施形態において、弧長は約３９.３７ｍｍである。いくつかの実施形態において、弧状要素は、約１０８°の中心角を持つ凹状面を有する。
【００１１】
本発明の第１の形態のいくつかの実施形態において、周縁ガイド孔の各々は約２ｍｍから約７ｍｍ、例えば約２ｍｍ、３ｍｍ、４ｍｍ、５ｍｍ、６ｍｍもしくは７ｍｍ又は前記値の任意の値に及ぶ範囲内の値の直径を有する。
【００１２】
いくつかの実施形態において、内部チャンネルは、約２ｍｍから約７ｍｍ、例えば約２ｍｍ、３ｍｍ、４ｍｍ、５ｍｍ、６ｍｍもしくは７ｍｍ又は前記値の任意の値に及ぶ範囲内の値の直径を有する。いくつかの実施形態において、内部チャンネルは、約１００ｍｍから約３００ｍｍ、例えば約１００ｍｍ、１１０ｍｍ、１２０ｍｍ、１３０ｍｍ、１４０ｍｍ、１５０ｍｍ、１６０ｍｍ、１７０ｍｍ、１８０ｍｍ、１９０ｍｍ、２００ｍｍ、２１０ｍｍ、２２０ｍｍ、２３０ｍｍ、２４０ｍｍ、２５０ｍｍ、２６０ｍｍ、２７０ｍｍ、２８０ｍｍ、２９０ｍｍもしくは３００ｍｍ又は前記の任意の値に及ぶ範囲内の値の長さを有する。
【００１３】
本発明の第１の形態のいくつかの実施形態において、周縁ガイド孔の各々は中点を有し、周縁ガイド孔の少なくとも２つは、周縁ガイド孔の中点から計測して約１０ｍｍから約３５ｍｍ離して（例えば、１０ｍｍ、１５ｍｍ、２０ｍｍ、２５ｍｍ、３０ｍｍ又は３５ｍｍ離して）位置付けられる。いくつかの実施形態において、内部チャンネルは中点を有し、中点は、周縁ガイド孔の少なくとも２つの中点から約１０ｍｍから約２０ｍｍに位置付けられる。いくつかの実施形態において、周縁ガイド孔の各々の長手軸は、内部チャンネルの長手軸に対して実質的に平行である。
【００１４】
本発明の第１の形態の特定の実施形態において、ガイドは、下記の特徴の２つ以上を含む。即ち、ａ）軸部は約１００ｍｍから約３００ｍｍの長さを有する、かつ／又は、ｂ）弧状要素は約１５ｍｍから約６０ｍｍの弧長を持つ凹状面を有する、かつ／又は、ｃ）周縁ガイド孔は約２ｍｍから約７ｍｍの直径を有する、かつ／又は、ｄ）内部チャンネルは約２ｍｍから約７ｍｍの直径を有する、かつ／又は、ｅ）内部チャンネルは、約１００ｍｍから約３００ｍｍの長さを有する、かつ／又は、ｆ）周縁ガイド孔は各々中点を有し、周縁ガイド孔はそれらの中点から計測して約１０ｍｍから約３５ｍｍ離して位置付けられる、かつ／又は、ｇ）内部チャンネルは中点を有し、周縁ガイド孔の１つ以上の中点から約１０ｍｍから約２０ｍｍに位置付けられる、かつ／又は、ｈ）周縁ガイド孔は内部チャンネルに対して実質的に平行である。いくつかの実施形態において、ガイドは、ａ）からｈ）の特徴の各々を含む。
【００１５】
本発明の第１の形態のいくつかの実施形態において、ガイドベースは、２つの周縁ガイド孔を含む。特定の実施形態において、周縁ガイド孔の中点は約１３.１ｍｍ離れ、各周縁ガイド孔の中点は内部チャンネルの中点から約１３.２ｍｍに在る。他の実施形態において、ガイドベースは、３つの周縁ガイド孔を含む。
【００１６】
本発明の第１の形態の更に別の実施形態において、ガイドベースは、４つの周縁ガイド孔を含む。いくつかの実施形態において、周縁ガイド孔は、内部チャンネルの周りに放射状に位置付けられる。特定の実施形態において、周縁ガイド孔の各々の中点は、内部チャンネルの中点から、約１０ｍｍから約２０ｍｍ、例えば約１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、２０ｍｍ又は前記値の任意の値に及ぶ範囲内の値に位置付けられる。いくつかの実施形態において、第１及び第２の周縁ガイド孔の中点は、約２６.４ｍｍ離れ、第３及び第４の周縁ガイド孔の中点は約２６.４ｍｍ離れ、第１及び第３の周縁ガイド孔並びに第２及び第４の周縁ガイド孔の中点は約１３.１ｍｍ離れ、周縁ガイド孔の各々の中点は、内部チャンネルの中点から約１３.２ｍｍに在り、内部チャンネルの中点は第１及び第２の周縁ガイド孔の間並びに第３及び第４の周縁ガイド孔の間のほぼ中間に在る。いくつかの実施形態において、ガイドベースは、４つよりも多い周縁ガイド孔を含む。
【００１７】
本発明の第１の形態のいくつかの実施形態において、ガイドは、更に、ガイドベースの周縁ガイド孔の中に滑動可能に挿入できる少なくとも２つのスリーブを含み、各スリーブはチャンネルを含む。特定の実施形態において、ガイドは、更に、４つの周縁ガイド孔の中へ挿入するための４つのスリーブを含む。いくつかの実施形態において、スリーブのスリーブチャンネルは、約４.２ｍｍから約４.３ｍｍの直径及び約１４３.７から約１４４ｍｍの長さを有する。
【００１８】
本発明の第１の形態のいくつかの実施形態において、ガイドは、更にハンドルを含む。いくつかの実施形態において、ハンドルは、ガイドベースに接続されたハンドル軸部とハンドル握り部とを含む。特定の実施形態において、ハンドル軸部は、約７０ｍｍから約１１０ｍｍの長さ、例えば約７０ｍｍ、７５ｍｍ、８０ｍｍ、８５ｍｍ、９０ｍｍ、９５ｍｍ、１００ｍｍ、１０５ｍｍもしくは１１０ｍｍ又は前記値の任意の値に及ぶ範囲内の値の長さである。特定の実施形態において、ハンドル握り部は、約９０ｍｍから約１５０ｍｍの長さ、例えば約９０ｍｍ、１００ｍｍ、１１０ｍｍ、１２０ｍｍ、１３０ｍｍ、１４０ｍｍ、１５０ｍｍ又は前記値の任意の値に及ぶ範囲内の値の長さである。いくつかの実施形態において、ハンドルはガイドベースから取外し可能である。いくつかの実施形態において、ガイドベースに対するハンドルの角度は調節可能である。
【００１９】
上述の実施形態のいずれにおいても、弧状要素又はガイドベースは軸部に分離可能に取り付けできる。上述の実施形態のいずれにおいても、内部チャンネル及び周縁ガイド孔は、これらに器材を滑動可能に挿入できるサイズを持つことができる。いくつかの実施形態において、器材は、ガイドワイヤ、ガイドピン、スリーブ及びドリルビットから成る群から選択される。上述の実施形態のいずれにおいても、ガイドベースは、近位端部と遠位端部とを持つことができ、遠位端部は軸部に取り付けられ、ガイドベースの遠位端部はノーズ及び／又はノーズ先端部を有する。本発明の第１の形態の上述の実施形態のいずれにおいても、弧状要素の曲率又はサイズは調節可能とすることができる。上述の実施形態のいずれにおいても、弧状要素は、軸部の長手軸に対して平行の１つ以上の孔を含むことができ、好ましくは、前記弧状要素は２つ以上の孔を備える。
【００２０】
本明細書において説明する任意の骨ドリルガイドの寸法を参照すると、いくつか又は全ての寸法において比例的なスケールのより大きい又は小さいガイド又はその部分及び比例的なスケールではないより大きい又は小さいガイド又はその一部が想定される。概略的に、外科処置に使用されるガイド又はその部分の寸法は、治療対象の骨（単数又は複数）のサイズ、形状及び／又は曲率（例えば凸状）に応じて選択される。
【００２１】
第２の形態において、本発明は、骨の中へ器材を挿入する方法を特徴とし、方法は、ａ）弧状要素を用いて、骨に近接して本発明の第１の形態のガイドを位置付けることと、ｂ）内部チャンネルを通過して又はガイドの周縁ガイド孔の１つを通過して骨の中へ器材を挿入することと、を含む。いくつかの実施形態において、Ｘ線又は蛍光を使用して、ガイド又は器材を骨上の１つの位置に整列させる。いくつかの実施形態において、器材は、ガイドワイヤ、ガイドピン、髄内ネイル、プレート装置、外部固定ピン及びドリルビットから成る群から選択される。いくつかの実施形態において、器材は、内部チャンネルを通過して骨の中へ挿入される。
【００２２】
本発明の第２の形態のいくつかの実施形態において、器材の複数ピースが、ガイドを用いて骨の中へ挿入される。いくつかの実施形態において、器材の少なくとも２つのピースは、順次骨の中へ挿入される。例えば、器材の第１のピースは、内部チャンネルを通過して骨の中へ挿入でき、器材のその次の少なくとも１つのピースは、第１の周縁ガイド孔を通過して骨の中へ挿入できる。特定の実施形態において、器材の第１及び第２のピースは、ガイドワイヤである。いくつかの実施形態において、第３のガイドワイヤは、第２の周縁ガイド孔を通過して骨の中へ挿入される。いくつかの実施形態において、ガイドワイヤの任意の２本の間の距離は、約１０ｍｍから約３５ｍｍ、例えば１０ｍｍ、１５ｍｍ、２０ｍｍ、２５ｍｍ、３０ｍｍ、３５ｍｍ又は前記値の任意の値に及ぶ範囲内の値である。特定の実施形態において、ガイドワイヤの任意の２本の間の距離は、約１３.２ｍｍである。いくつかの実施形態において、ガイドワイヤは、骨の中へ、約５０ｍｍから１３０ｍｍ、例えば５０ｍｍ、６０ｍｍ、７０ｍｍ、８０ｍｍ、９０ｍｍ、１００ｍｍ、１１０ｍｍ、１２０ｍｍ、１３０ｍｍ又は前記値の任意の値に及ぶ範囲内の値まで挿入される。特定の実施形態において、ガイドワイヤの各々は、骨の中へ実質的に同じ深さまで挿入される。
【００２３】
本発明の第２の形態の特定の実施形態において、方法は、更に、ガイドを取り外して、カニューレ式ドリルビットを用いてガイドワイヤをオーバードリルすることを含む。いくつかの実施形態において、１つ以上の骨スクリューはガイドワイヤに沿って骨の中へ挿入される。特定の実施形態において、骨スクリューは、カニューレ式であり、窓穴を持つ。別の実施形態において、流動性媒体が骨スクリューの中へ導入される。他の実施形態において、方法は、ガイドワイヤを取り外して、骨スクリューを挿入することなく骨の中へ流動性媒体を導入することを含む。いくつかの実施形態において、流動性媒体は、骨ボイドフィラー、骨セメント又は薬剤である。
【００２４】
本発明の第２の形態の好ましい実施形態において、骨スクリューは、ＩｎｎｏＶｉｓｉｏｎ（米国テネシー州メンフィス）、Ｎ−ＦＯＲＣＥ  ＦＩＸＡＴＩＯＮ  ＳＹＳＴＥＭ（商標）骨スクリュー、例えばＩｎｎｏＶｉｓｉｏｎカタログ番号ＩＮ００１−２５−ＦＳ、ＩＮ００１−３０−ＦＳ、ＩＮ００１−３５−ＦＳ、ＩＮ００１−４０−ＦＳ、ＩＮ００１−４５−ＦＳ、ＩＮ００１−５０−ＦＳ、ＩＮ００１−５５−ＦＳ、ＩＮ００１−６０−ＦＳ、ＩＮ００１−６５−ＦＳ、ＩＮ００１−７０−ＦＳ、ＩＮ００１−７５−ＦＳ、ＩＮ００６−２５−ＦＳ、ＩＮ００６−３０−ＦＳ、ＩＮ００６−３５−ＦＳ、ＩＮ００６−４０−ＦＳ、ＩＮ００６−４５−ＦＳ、ＩＮ００６−５０−ＦＳ、ＩＮ００６−５５−ＦＳ、ＩＮ００６−６０−ＦＳＩＮ００１−６５−ＦＳ並びに／又は米国特許第８５７４２７３号明細書及び国際出願ＰＣＴ／ＵＳ２０１４／０２０６７８号明細書において説明される骨スクリューである。
【００２５】
本発明の第２の形態の上述の実施形態のいずれにおいても、方法は、骨欠損の修復を含む。いくつかの実施形態において、骨欠損は、橈骨、尺骨、腓骨、鎖骨、上腕骨、骨盤、大腿骨、膝蓋骨、脛骨、踵骨、足根骨、舟状骨、楔状骨、中足骨、中手骨、趾骨、肩甲骨、踝、下顎骨又は椎骨の欠損を含む。特定の実施形態において、骨の欠損は骨折である。更に別の実施形態において、骨は大腿骨であり、欠損は大腿骨頸部の骨折である。
【００２６】
第３の形態において、本発明は、下記のものの任意の１つ以上又は全てを含むキットを特徴とする。即ち、ａ）本発明の第１の形態のガイド、ｂ）少なくとも２つのスリーブ。キットは、任意に、深さゲージ、ガイドワイヤ、ドリルビット、骨スクリュー、自硬性骨セメントパウダー及びキットを使用するための指示、の１つ以上を含む。いくつかの実施形態において、キットは、本発明の第１の形態のガイドと少なくとも２つのスリーブとを含む。特定の実施形態において、ガイドの弧状要素の曲率又はサイズは調節可能である。いくつかの実施形態において、弧状要素又はガイドベースは、ガイドの軸部に分離可能に取り付けられる。
【００２７】
定義
本明細書において使用する場合、「約（about）」は明記される値の±１０％を意味する。
【００２８】
「生体適合性」は、物質が宿主において実質的に有害な反応（例えば、免疫反応）を引き出さないことを意味する。生体に導入された異物は宿主に対して悪影響を有する免疫反応を誘発する可能性があることが分かるはずである。本明細書において使用する場合、「生体適合性」は、多少の炎症を生じる可能性があるが発病レベルを生じない物質を含むことを意図する。
【００２９】
「生体吸収性」は、物質が生体内で身体によって吸収できることを意味する。吸収プロセスは、体液、酵素又は細胞の作用によってオリジナルの生体吸収性インプラント物質が排除されることを伴う。「強度の生体吸収性」は、生体内に埋植された物質の全質量の少なくとも８０％が１年以内に吸収されることを意味する。
【００３０】
「骨欠損」は、骨の中のボイド、ギャップ、凹部又はその他の不連続部などの骨欠乏領域を意味する。骨欠損は、人工的又は自然に確立される可能性があり、例えば、疾患又は外傷のせいで生じる可能性がある。したがって、骨欠損は、病理的もしくは炎症性疾患、骨腫瘍の形成及び除去、外科的干渉、先天性欠損もしくは骨折又はこれに類似するものの結果生じる可能性がある。例えば、骨腫瘍など特定の疾患の場合、骨欠損は、腫瘍組織の除去によって人工的に確立されうる。本発明の骨スクリューは、例えば、歯根膜欠損の修復、頭蓋顔面もしくは顎顔面手術又は再形成、手の手術、関節再形成術、骨折修復、整形外科手術及び脊椎手術（例えば脊椎固定及び椎骨形成手術）に応用できる。用語「骨欠損」は、随意の美容整形など疾患又は外傷のない患者が骨の特徴への増強を望む解剖学的部位を含むことも意図する。したがって、「欠損」は、患者が主観的に感じるもので、それに対して骨欠乏領域の増強を所望するものでありうる。
【００３１】
「骨充填物質」又は「充填物質」は、例えば流動性媒体を含めて原位置硬化性成物質を含む、骨を充填するための任意の物質を意味する。充填物質は、フィラメント、マイクロスフェア、パウダー、粒状要素、フレーク、チップ、細管及びこれに類似するもの、自己移植片もしくは同種移植片物質並びにその他の化学物質、薬剤又はその他の生体活性剤も含むことができる。
【００３２】
「中点」は、チャンネル又は孔の幾何学的中心を意味する。本発明において、この概念は、構成要素の幾何学的な相対位置を説明するために使用されるが、本発明の物理的要素ではない。
【００３３】
「円周増強」は、（例えば骨スクリューが骨の中へ挿入されたときに）流動性媒体例えば骨セメントが骨スクリューの長さの全部又は一部分に沿って骨スクリューの円周の周りの直線距離の全部又は一部分を取り囲み、それによって骨スクリューの１つ以上の生体力学的特性（例えば、固定強度及び／又はプルアウト強度）を改良することを意味する。典型的には、カニューレ式窓穴付き骨スクリューを用いてこの種の流動性媒体充填を得る。骨に複数のカニューレ式窓穴付き骨スクリューが挿入される場合、流動性媒体の円周増強は、挿入されたスクリューの各々を取り囲む流動性媒体から形成された「内部支持壁」の形成を導くことができる。これは、骨内部の内部「プレート」とも呼ばれ、骨外面の金属プレートと同等の機能を果たすが、骨内部において骨セメントから形成される。この内部プレート又は支持壁は、骨の外面の金属骨プレートなど外部支持物の必要を減少又は除去する。
【００３４】
本明細書において使用する場合、「曲率」は、湾曲要素の形状を意味する。例えば、弧状要素は、３つのパラメータ即ち半径、中心角及び弧長（これらは、本明細書において使用する場合従来の数学的定義を有する）によって説明できる曲率を持つ。半径ｒを持ち円中心の角度（即ち、中心角）θ（単位：弧度）に対する円弧の弧長Ｌ（図３４Ａ参照）は、θｒに等しい（図３４Ａ参照）。例示のために、弧状要素の凹状面の半径、弧長及び中心角を示す図を図３４Ｂに示す。装置又はその部品が所定の「半径」又は「中心角」を持つと言うとき、これらの用語は、本発明の物理的要素ではなく幾何学的パラメータを説明するために使用される。
【００３５】
「流動性媒体」は、概略的に、吸収性又は非吸収性生体適合性剤の調合物、例えば熱硬化性ポリマーもしくは熱可塑性ポリマー例えばＰＭＭＡ（ポリメチルメタアクリレート）などの重合体、骨ボイドフィラー物質、セメント又は薬剤を意味する。特に、流動性媒体は、典型的には自硬性であり、硬化するとセメントを骨に徐々に置き換えることができる吸収性リン酸カルシウム又は亜硫酸カルシウムセメントとすることができる。骨セメントなど吸収性及び非吸収性の生体適合性剤は、どちらも骨欠損の治療に使用されて、成功している。
【００３６】
骨スクリューに使用できるリン酸カルシウム骨セメントの例は、例えば、米国特許第５７８３２１７号明細書、米国特許第６０２７７４２号明細書、米国特許第６２１４３６８号明細書、米国特許第６２８７３４１号明細書、米国特許第６３３１３１２号明細書、米国特許第６５４１０３７号明細書、米国特許第６９５３５９４号明細書、米国特許第６９７２１３０号明細書、米国特許第７１５０８７９号明細書、米国特許第７３１８８４１号明細書及び米国特許第７５１７５３９号明細書（その各々が参照によって本明細書に援用される）において説明され、ＢＥＴＡ−ＢＳＭ（商標）注入可能ペースト及びＣＡＲＲＩＧＥＮ（登録商法）多孔性骨代用物質（マサチューセッツ州ケンブリッジ、Ｅｔｅｘ  Ｃｏｒｐｏｒａｔｉｏｎ）などの市販のセメントを含む。
【００３７】
「ガイドワイヤ」は、骨の中へ挿入でき、骨の中へ又は骨に沿ってその後に装置又は器材を挿入するためのガイドとして役立つ装置を意味する。ガイドワイヤは、骨欠損の治療に使用できる。本明細書において使用する場合、「ガイドワイヤ」は、ねじ切り及び非ねじ切りガイドワイヤ、ガイドピン、Ｋワイヤ、キルシュナーワイヤ、シュタインマンピン並びに当該技術分野において既知の他の同様の装置を包含する。
【００３８】
「操作者」は、本発明の骨ドリルガイドを使用する任意の個人を意味する。操作者は、例えば、医師、外科医、整形外科医、獣医、看護師、技師など含むことができる。
【００３９】
「骨形成術」は、骨充填物質及び／又は流動性媒体を骨（例えば、骨の内部）へ送達する任意の処置を意味する。
【００４０】
「処置」は、装置もしくは器材を骨の中へ挿入する作業、手術又は関連イベントを意味する。
【００４１】
「治療」は、骨欠損に関連付けられる傷もしくは疾患、病理学的症状又は不調の改善、修復もしくは予防を得るための患者の医療管理を意味する。この用語は、能動的治療即ち傷もしくは疾患、病理学的症状又は不調の改良を明確に目指す治療を含み、又、原因療法即ち傷もしくは疾患、病理学的症状又は不調の原因の除去を目指す治療も含む。更に、この用語は、対症療法即ち傷もしくは疾患、病理学的症状又は不調を直すことよりも症状の緩和のために企画された治療、予防療法即ち傷もしくは疾患、病理学的症状又は不調の予防を目指す治療、及び支持治療即ち傷もしくは疾患、病理学的症状又は不調の改良を目指す別の具体的療法を補足するために採用される治療を含む。
【００４２】
本発明の他の特徴及び利点は、以下の詳細な説明及び特許請求の範囲から明白である。
【図面の簡単な説明】
【００４３】
【図１Ａ】本発明の骨ドリルガイドの右側面図である。
【図１Ｂ】本発明の骨ドリルガイドの概略斜視図である。
【図２Ａ】本発明の骨ドリルガイドの軸部の頂面図である。
【図２Ｂ】図２Ａの軸部の側面図である。
【図２Ｃ】図２Ｂの軸部の線Ａ−Ａに沿って見た断面図である。
【図３Ａ】骨ドリルガイドのガイドベースの遠位端部の前面図である。
【図３Ｂ】図３Ａのガイドベースの底面図である。
【図３Ｃ】図３Ｂのガイドベースの線Ａ−Ａに沿って見た断面図である。
【図３Ｄ】図３Ａのガイドベースの側面図である。
【図３Ｅ】図３Ａのガイドベースの立面図である。
【図３Ｆ】図３Ａのガイドベースの近位端の背面図である。
【図３Ｇ】図３Ａのガイドベースの近位端部を９０°回転した背面図である。
【図４Ａ】弧状要素の左側面図である。
【図４Ｂ】図４Ａの弧状要素の背面図である。
【図４Ｃ】弧状要素の右側面図である。
【図５Ａ】骨ドリルガイドのハンドル軸部の側面図である。
【図５Ｂ】図５Ａのハンドル軸部の頂面図である。
【図６Ａ】骨ドリルガイドのハンドル握り部の右側面図である。左側面は同じである。
【図６Ｂ】図６Ａのハンドル握り部の線Ａ−Ａに沿って見た断面図である。
【図６Ｃ】骨ドリルガイドのハンドル握り部の頂面図である。
【図７Ａ】骨ドリルガイドの前面図である。
【図７Ｂ】図７Ａの頂部の線Ａ−Ａに沿って見た断面図であり、ガイドベースから弧状要素を通過して延びる内部チャンネルを示す。
【図８Ａ】骨ドリルガイドの底面図である。
【図８Ｂ】骨ドリルガイドの頂面図である。
【図９Ａ】骨ドリルガイドの背面図である。
【図９Ｂ】図９Ａの骨ドリルガイドの前面図である。
【図１０Ａ】スリーブの側面図である。
【図１０Ｂ】図１０Ａのスリーブの線Ａ−Ａに沿って見た断面図である。
【図１１Ａ】ガイドの左側面の上側及び下側周縁ガイド孔の中へ挿入された２つのスリーブを示す、骨ドリルガイドの背面図である。
【図１１Ｂ】図１１Ａのガイドベース及びスリーブの線Ａ−Ａに沿って見た断面図である。
【図１２】図１１Ａの骨ドリルガイドの斜視図である。
【図１３】図１１Ａの骨ドリルガイドの斜視図である。
【図１４】図１１Ａの骨ドリルガイドの左側面図である。
【図１５】上左周縁ガイド孔の中へ挿入された単一のスリーブを示す、骨ドリルガイドの左側面を示す写真である。
【図１６】図１５の骨ドリルガイドの斜視図を示す写真である。
【図１７】大腿骨頸部を通過してガイドワイヤを挿入するために準備中の、弧状要素がヒトの大腿骨の近位端部に当接している骨ドリルガイドの斜視図を示すグラフィック画像である。
【図１８】軸部の内部チャンネルに沿って骨折したヒトの大腿骨を通過してガイドワイヤを挿入しているときの図１７の骨ドリルガイドの頂面図を示すグラフィック画像である。大腿骨は図解し易いように部分的に透明に示す。
【図１９】内部チャンネルの中へ骨折したヒトの大腿骨を通過してガイドワイヤを挿入しているときの図１８の骨ドリルガイドの頂面図を示すグラフィック画像である。２つのスリーブが右側の周縁ガイド孔（上部及び下部）の中へ挿入されている。大腿骨は、図解し易いように部分的に透明に示す。
【図２０】図１９の骨ドリルガイドの頂面図を示すグラフィック画像であり、２本のガイドワイヤがガイドベースの右側の上部及び下部スリーブの中へ骨折したヒトの大腿骨を通過して挿入されている。第１のガイドワイヤは、骨ドリルガイドの内部チャンネルを通過して挿入される。第２及び第３のガイドワイヤはスリーブを通過して挿入される。大腿骨は、図解し易いように部分的に透明に示す。
【図２１】スリーブが取り除かれた後の図２０の骨ドリルガイドの頂面図を示すグラフィック画像である。３本のガイドワイヤは大腿骨の中へ挿入されている。
【図２２】図２１の画像の後のグラフィック画像であり、骨ドリルガイドが取り除かれた後の、大腿骨の中へ挿入された３本のガイドワイヤを示す。
【図２３】ドリルバレル及び計測用深さゲージを用いたガイドワイヤの挿入深さの計測を示すグラフィック画像である。
【図２４】ガイドワイヤをオーバードリル（over drill）するためにガイドワイヤの１つに被せてカニューレ式ドリルビットを挿入した後の図２３の大腿骨を示すグラフィック画像である。
【図２５】挿入された３本のガイドワイヤ全てをオーバードリルした後の図２４の大腿骨を示すグラフィック画像である。
【図２６】オーバードリルされたガイドワイヤに沿って大腿骨の中へカニューレ式骨スクリューを挿入する回転ドライバを示す、図２５の大腿骨を示すグラフィック画像である。
【図２７】カニューレ式骨スクリュー挿入後の図２６の近位大腿骨の側面図を示すグラフィック画像である。大腿骨は、カニューレ式骨スクリュー及びガイドワイヤの位置付けを図解し易いように部分的に透明に示す。
【図２８】カニューレ式窓穴付き骨スクリューの挿入のために骨を準備するために、ガイドワイヤに被せて挿入された座ぐりドリルビットを示す、近位大腿骨の側面図を示すグラフィック画像である。大腿骨は、カニューレ式骨スクリュー及びガイドワイヤの位置付けを図解しやすくするために部分的に透明に示す。
【図２９】ガイドワイヤに被せて図２８の大腿骨の中へ骨スクリューを挿入する前の、（左から右へ）ワッシャ、カニューレ式窓穴付き骨スクリュー、骨スクリューマニホルド及び回転ドライバを示すグラフィック画像である。
【図３０】図２９のカニューレ式窓穴付き骨スクリューが大腿骨の挿入された後の、近位大腿骨の側面図を示すグラフィック画像である。大腿骨は、カニューレ式骨スクリュー及びガイドワイヤの位置付けを図解しやすくするために部分的に透明に示す。
【図３１】骨スクリューの中へ骨セメントを注入するために準備される骨スクリューマニホルドを示す、図３０の大腿骨を示すグラフィック画像である。
【図３２】図３１の近位大腿骨の側面断面図を示すグラフィック画像である。骨スクリューを介して注入された骨セメントによる上部骨スクリューの円周増強部を白で示す。これにより、スクリューの長さに沿ってかつ頭部付近のスクリューの遠位端において内部支持壁が形成される。この内部支持壁を得るための骨スクリューの配列及び位置付けは、骨ドリルガイドによって容易になる。
【図３３】骨ドリルガイドを用いて大腿骨の中へ挿入された３つの骨スクリューの頭部及びワッシャを示す、近位大腿骨の背面図を示すグラフィック画像である。
【図３４Ａ】円弧の半径（ｒ）、角度（θ）及び弧長（Ｌ）を示す図である。
【図３４Ｂ】弧状要素の凹状面の半径（ｒ）、角度（θ）及び弧長（Ｌ）を示す図と共に示す図４Ｃの弧長要素の右側面図である。この実施形態において、凹状面は固定半径を持つ。
【図３５Ａ】ガイドベース内に様々な数及び配列の周縁ガイド孔を持つ骨ドリルガイドの背面図である。
【図３５Ｂ】ガイドベース内に様々な数及び配列の周縁ガイド孔を持つ骨ドリルガイドの背面図である。
【図３５Ｃ】ガイドベース内に様々な数及び配列の周縁ガイド孔を持つ骨ドリルガイドの背面図である。
【図３５Ｄ】ガイドベース内に様々な数及び配列の周縁ガイド孔を持つ骨ドリルガイドの背面図である。
【図３５Ｅ】ガイドベース内に様々な数及び配列の周縁ガイド孔を持つ骨ドリルガイドの背面図である。
【図３５Ｆ】ガイドベース内に様々な数及び配列の周縁ガイド孔を持つ骨ドリルガイドの背面図である。
【図３６Ａ】弧状要素に２つのピン穴を含む骨ドリルガイドの右側面図である。弧状要素は、弧状要素内におけるピン穴の位置付けを図解し易くするために部分的断面図で示される。
【図３６Ｂ】図３６Ａの骨ドリルガイドの前面図である。
【発明を実施するための形態】
【００４４】
本発明は、骨の中へ器材を挿入するため及び骨欠損を治療するための骨ドリルガイド、スリーブ、キット及びその使用方法を特徴とする。
【００４５】
骨ドリルガイド
【００４６】
本発明の骨ドリルガイドは、骨に対してガイドを堅固に着座できるようにし、一方で、傾斜（angulation）、並進及び回転を可能にして、所望の位置及び向きに器材を骨の中へ正確に挿入できるようにする。更に、器材の複数のピースは、骨ドリルガイドを用いて相互に正確な位置及び向きで骨の中へ挿入できる。骨ドリルガイドは、Ｘ線透視法と一緒に便利に使用できるようにも設計される。骨ドリルガイドは、骨折を特に圧迫によって固定すべく、骨の中へガイドワイヤを挿入するために、特に設計される。これらのガイドワイヤは、当該技術分野で既知の他の装置又は器材（その非限定的例は、ドリルビット、骨スクリュー、骨プレート、骨ネイル及び骨ピンを含む）と一緒に使用できる。
【００４７】
本発明の骨ドリルガイド及びその使用方法の実施形態の以下の説明は、本質的に単なる例示であり、本発明、その応用又はその使用を限定する意図は一切ない。更に、本発明は、本発明の様々な骨ドリルガイドに関連して詳細に説明されるが、本発明は具体的に説明される形式及び材料によって限定されず、関連する形式及び物質も含むことができることが、当業者には分かるはずである。
【００４８】
次に、本発明の特定の実施形態について説明する。
【００４９】
構造
【００５０】
図１Ａ及び１Ｂを参照すると、骨ドリルガイド１００は、近位端部１０６と遠位端部１０４とを持つ軸部１０２を含む。軸部１０２の近位端部１０６においてガイドベース１２２が取り付けられ、弧状要素１４２は軸部１０２の遠位端部１０４において取り付けられる。いくつかの実施形態において、軸部１０２は、例えば圧縮取付け、ねじ式取付け又はロック機構によって、ガイドベース１２２に分離可能に接続される。他の実施形態において、軸部１０２は、例えば溶接又は当該技術分野において既知の他の接続によって、ガイドベース１２２に固定的に接続される。いくつかの実施形態において、弧状要素１４２は、例えば圧縮取付け、ねじ式取付け又はロック機構によって軸部１０２に分離可能に取り付けられる。他の実施形態において、弧状要素１４２は、例えば溶接又は当該技術分野において既知の他の接続によって軸部１０２に固定的に取り付けられる。好ましい実施形態において、ドリルガイド１００は、１つの軸部１０２を有する。別の構成において、弧状要素１４２は、複数例えば２、３、４又は５つの軸部１０２によってガイドベース１２２に取付けできる。軸部は各々内部チャンネル１８２を持つことができる。弧状要素１４２は、凹状面１４４を有する。ガイドベース１２２にハンドル部１６２が取り付けられ、ハンドル部はハンドル軸部１６４を含み、ハンドル軸部はハンドル握り部１６６で終端する。いくつかの実施形態において、ハンドル部１６２は、例えば圧縮取付け（例えばピン止めを伴う圧縮取付け）、ねじ式取付け又はロック機構によって、ガイドベース１２２に分離可能に取り付けられる。他の実施形態において、ハンドル部１６２は、例えば、溶接又は当該技術分野において既知のその他の接続によって、ガイドベース１２２に固定的に接続される。他の実施形態において、ハンドル部は、ハンドル部１６２とガイドベース１２２との間の角度１７９を調節できるように、例えば蝶番又は玉継手によって、ガイドベース１２２に回転可能に取り付けられる。更に別の実施形態において、ハンドル部１６２は、回転式に調節した後に所定の位置にロックできる。いくつかの実施形態において、ハンドル握り部１６６は、製品名などの表示を含む面１８０を有する。いくつかの実施形態において、軸部１０２は、弧状要素１４２及びガイドベース１２２に溶接され、ハンドル軸部１６４は、ガイドベース１２２に溶接され、ハンドル握り部１６６は、ハンドル軸部１６４に圧迫されピン止めされる。別の実施形態において、軸部１０２は、弧状要素１４２及びガイドベース１２２に溶接され、ハンドル軸部１６４はガイドベース１２２に溶接され、ハンドル握り部１６６はハンドル軸部１６４にプレス嵌めされる。
【００５１】
内部チャンネル１８２は、ガイドベース１２２、軸部１０２及び弧状要素１４２を貫通する。内部チャンネル１８２は、約１００ｍｍから約３５０ｍｍの範囲、例えば、約１００ｍｍ、１０５ｍｍ、１１０ｍｍ、１１５ｍｍ、１２０ｍｍ、１２５ｍｍ、１３０ｍｍ、１４０ｍｍ、１５０ｍｍ、１５５ｍｍ、１６０ｍｍ、１６５ｍｍ、１７０ｍｍ、１８０ｍｍ、１９０ｍｍ、２００ｍｍ、２２０ｍｍ、２４０ｍｍ、２６０ｍｍ、２８０ｍｍ、３００ｍｍ、３２０ｍｍ、３４０ｍｍ、３５０ｍｍ又は前記値の任意の値に及ぶ範囲内の値の長さを持つことができる。好ましい実施形態において、内部チャンネル１８２は、約１２７ｍｍの長さを有する。いくつかの実施形態において、内部チャンネル１８２は、約１２７ｍｍの長さを有する。いくつかの実施形態において、内部チャンネル１８２は、ガイドワイヤ又は同様の装置を挿入できるサイズを持つ。内部チャンネル１８２は、約２ｍｍから約４０ｍｍの範囲、例えば２ｍｍ、３ｍｍ、４ｍｍ、５ｍｍ、６ｍｍ、７ｍｍ、８ｍｍ、１０ｍｍ、１５ｍｍ、２０ｍｍ、２５ｍｍ、３０ｍｍ、３５ｍｍ、４０ｍｍ又は前記値の任意の値に及ぶ範囲内の値、好ましくは約３.４ｍｍの直径を持つことができる。
【００５２】
図２Ａから２Ｃを参照すると、軸部１０２は近位端部１０６と遠位端部１０４とを有し、内部チャンネル１８２を含む。軸部１０２は、約１００ｍｍから約３５０ｍｍの範囲、例えば約１００ｍｍ、１０５ｍｍ、１１０ｍｍ、１１５ｍｍ、１２０ｍｍ、１２５ｍｍ、１３０ｍｍ、１４０ｍｍ、１５０ｍｍ、１６０ｍｍ、１８０ｍｍ、１９０ｍｍ、２００ｍｍ、２２０ｍｍ、２４０ｍｍ、２６０ｍｍ、２８０ｍｍ、３００ｍｍ、３２０ｍｍ、３４０ｍｍ、３５０ｍｍ又は前記値の任意の値に及ぶ範囲内の値、好ましくは約１２７ｍｍの長さＡ’（図２Ａ参照）を持つことができる。軸部１０２は、約２ｍｍから約２０ｍｍの範囲、例えば約２ｍｍ、４ｍｍ、６ｍｍ、８ｍｍ、１０ｍｍ、１２ｍｍ、１４ｍｍ１６ｍｍ、１８ｍｍ、２０ｍｍ又は前記値の任意の値に及ぶ範囲内の値、好ましくは約７ｍｍの外径Ｂ’（図２Ｂ参照）を持つことができる。近位端部１０６は、受容体（acceptor）１３６においてガイドベース１２２の遠位端部１２９の中へ挿入できるサイズを持つ（図３Ｃ参照。挿入は矢印の方向に行われる。）。遠位端部１０４は、受容体１４８において弧状要素１４２の近位端部１５８の中へ挿入できるサイズを持つ（図４Ａ参照。挿入は矢印の方向に行われる。）。いくつかの実施形態において、軸部１０２は、近位差込部１１０と遠位差込部１１２とを含むことができる。近位差込部１１０は、約１０ｍｍから約２０ｍｍの範囲、例えば約１０ｍｍ、１２ｍｍ、１４ｍｍ、１６ｍｍ、１８ｍｍ、２０ｍｍ又は前記値の任意の値に及ぶ範囲内の値、好ましくは約１２.７ｍｍの長さＣ’（図２Ａ参照）を持つことができる。近位差込部１１０は、約３ｍｍから約６ｍｍの範囲、例えば約３ｍｍ、４ｍｍ、５ｍｍ、６ｍｍ又は前記値の任意の値に及ぶ範囲内の値、好ましくは、約４.３ｍｍの外径Ｅ’（図２Ａ参照）を持つことができる。遠位差込部１１２は、約２ｍｍから約１０ｍｍの範囲、例えば２ｍｍ、４ｍｍ、６ｍｍ、８ｍｍ、１０ｍｍ又は前記値の任意の値に及ぶ範囲内の値、好ましくは約６.２ｍｍの長さＤ’（図２Ａ及び２Ｂ参照）を持つことができる。遠位差込部１１２は、約３ｍｍから約８ｍｍの範囲、例えば３ｍｍ、４ｍｍ、５ｍｍ、６ｍｍ、７ｍｍ、８ｍｍ又は前記値の任意の値に及ぶ範囲内の値、好ましくは約５.８ｍｍの外径Ｆ’（図２Ａ参照）を持つことができる。いくつかの実施形態において、遠位差込部１１２は、凹状端部１１４を含む。凹状端部１１４の曲率は、軸部１０２が受容体１４８において弧状要素１４２に嵌め込まれたとき表面が面一になるように、弧状要素１４２の凹状面１４４の半径ｒ（図４Ａ及び３４Ｂ参照）に実質的に合致する約１５ｍｍから６０ｍｍの範囲、例えば１５ｍｍ、２０ｍｍ、２５ｍｍ、３０ｍｍ、３５ｍｍ、４０ｍｍ、４５ｍｍ、５０ｍｍ、５５ｍｍ、６０ｍｍ又は前記値の任意の値に及ぶ範囲内の値、好ましくは約２０.８ｍｍの半径１１６（図２Ｂ参照）を持つことができる。
【００５３】
図３Ａから３Ｇを参照すると、ガイドベース１２２は、近位端部１２８と遠位端部１２９とを有する。複数の周縁ガイド孔１２６が内部チャンネル１８２を取り囲む。ガイドベース１２２は、近位から遠位方向に約２０ｍｍから約８０ｍｍの範囲、例えば２０ｍｍ、２５ｍｍ、３０ｍｍ、３５ｍｍ、４０ｍｍ、４５ｍｍ、５０ｍｍ、６０ｍｍ、７０ｍｍ、８０ｍｍ又は前記値の任意の値に及ぶ範囲内の値、好ましくは約３８.１ｍｍの長さＫ’（図３Ｄ参照）を持つことができる。ガイドベース１２２は、約２０ｍｍから約６０ｍｍの範囲、例えば２０ｍｍ、２５ｍｍ、３０ｍｍ、３５ｍｍ、４０ｍｍ、４５ｍｍ、５０ｍｍ、５５ｍｍ、６０ｍｍ又は前記値の任意の値に及ぶ範囲内の値、好ましくは約３２.９ｍｍの幅Ｏ’（図３Ｆ参照）を持つことができる。ガイドベース１２２は、約１０ｍｍから約４０ｍｍの範囲、例えば、１０ｍｍ、１５ｍｍ、２０ｍｍ、２５ｍｍ、３０ｍｍ、３５ｍｍ、４０ｍｍ又は前記値の任意の値に及ぶ範囲内の値、好ましくは約２３ｍｍの高さＬ’（図３Ａ及び３Ｄ参照）を持つことができる。いくつかの実施形態において、近位端部１２８は、その縁に沿って近位端面取りＩ’（図３Ｄ参照）を持つことができ、面取りは、約０.３ｍｍから約０.６ｍｍ、例えば０.３ｍｍ、０.４ｍｍ、０.５ｍｍ又は０.６ｍｍ、好ましくは約０.５ｍｍの深さを持つことができる。近位端面取りＩ’は、ガイドベース１２２の近位端部１２８に対して約３５°から約５５°、例えば約３５°、４５°、５５°又は前記値の任意の値に及ぶ範囲内の値、好ましくは約４５°の角度を持つことができる。
【００５４】
図３Ｃを参照すると、いくつかの実施形態において、受容体１３６は、軸部１０２の近位端部１０６（図２Ａ及び２Ｂ参照）を受容するサイズを持つ。受容体１３６は、近位領域と遠位領域とを持つことができ、いくつかの実施形態において、２つの領域は、異なる内径及び／又は長さを持つことができる。例えば、ガイドベース１２２の遠位端部１２９の受容体１３６は、約４ｍｍから約１０ｍｍの範囲、例えば４ｍｍ、５ｍｍ、６ｍｍ、７ｍｍ、８ｍｍ、９ｍｍ、１０ｍｍ又は前記値の任意の値に及ぶ範囲内の値、好ましくは約７ｍｍの内径Ｃ’（図３Ｃ参照）を持つことができる。遠位端部１２９の受容体１３９のこの領域は、約１５ｍｍから約３５ｍｍの範囲、例えば１５ｍｍ、２０ｍｍ、２５ｍｍ、３０ｍｍ、３５ｍｍ又は前記値の任意の値に及ぶ範囲内の値、好ましくは約２５.４ｍｍの長さＤ’（図３Ｃ参照）を持つことができる。近位端部１２８において、受容体１３６は、軸部１０２の近位差込部１１０（図２Ａ参照）を受容するサイズを持つことができ、約２ｍｍから約６ｍｍ例えば２ｍｍ、３ｍｍ、４ｍｍ、５ｍｍ、６ｍｍ又は前記値の任意の値に及ぶ範囲内の値、好ましくは約４.３ｍｍの内径Ｆ’（図３Ｃ参照）を持つことができる。
【００５５】
図３Ａから３Ｇ及び図３５ＡからＦを参照すると、ガイドベース１２２は、１から１０個例えば、１、２、３、４、５、６、７、８、９又は１０個の周縁ガイド孔１２６を持つことができる。好ましい実施形態において、ガイドベース１２２は、４つの周縁ガイド孔１２６を有する。周縁ガイド孔１２６は、約２ｍｍから約４２ｍｍの範囲例えば２ｍｍ、３ｍｍ、４ｍｍ、５ｍｍ、６ｍｍ、７ｍｍ、８ｍｍ、１０ｍｍ、１２ｍｍ、１４ｍｍ、１６ｍｍ、１８ｍｍ、２０ｍｍ、２５ｍｍ、３０ｍｍ、３５ｍｍ、４０ｍｍ、４２ｍｍ又は前記値の任意の値に及ぶ範囲内の値の直径を持つことができる。好ましい実施形態において、周縁ガイド孔１２６は、５.７ｍｍの直径を有する。いくつかの実施形態において、周縁ガイド孔１２６は、ガイド孔ウィング１２７に配置できる。いくつかの実施形態において、各周縁ガイド孔１２６は、自身のウィング１２７の中に配置される。即ち、周縁ガイド孔１２６の数は、ウィング１２７の数と同じである。好ましい実施形態において、ガイドベース１２２は、４つのウィング１２７を有する。ウィング１２７は、約５ｍｍから約４５ｍｍの範囲、例えば５ｍｍ、７ｍｍ、９ｍｍ、１１ｍｍ、１２ｍｍ、１４ｍｍ、１６ｍｍ、１８ｍｍ、２０ｍｍ、２５ｍｍ、３０ｍｍ、３５ｍｍ、４０ｍｍ、４５ｍｍ又は前記値の任意の値に及ぶ範囲内の値、好ましくは約８.８ｍｍの幅Ｒ’（図３Ｇ参照）を持つことができる。ガイドベース１２２の片側のウィング１２７同士間の角度Ｑ’（図３Ｆ参照）は、約４５°から約１２０°の範囲、例えば４５°、５５°、６５°、７５°、８０°、９０°、１００°、１１０°又は１２０°、好ましくは約９０°とすることができる。好ましい実施形態において、ガイドベース１２２上のウィングの位置は、前又は後ろから見てガイドベース１２２に実質的に十字形又はＸ字形ウィング形状を与える（例えば、図３Ａ、３Ｆ、３Ｇ参照）。これらの実施形態において、ガイドベース１２２は、約１５ｍｍから約３５ｍｍの範囲、例えば１５ｍｍ、２０ｍｍ、２５ｍｍ、３０ｍｍ、３５ｍｍ又は前記値の任意の値に及ぶ範囲内の値、好ましくは約２５ｍｍの最小幅Ｓ’（図３Ｇ参照）を持つことができる。これらの実施形態において、ガイドベース１２２は、約６ｍｍから約１８ｍｍの範囲、例えば、６ｍｍ、８ｍｍ、１０ｍｍ、１２ｍｍ、１４ｍｍ、１６ｍｍ、１８ｍｍ又は前記値の任意の値に及ぶ範囲内の値、好ましくは約１１.１ｍｍの最小高さＴ’（図３Ｇ参照）を持つことができる。
【００５６】
図３Ｂ、３Ｃ及び３Ｅを参照すると、いくつかの実施形態において、ガイドベース１２２は、ハンドル軸部１６４（図５Ａ参照）を受容するサイズを持つ受容体孔１３０を有する。受容体孔１３０は、約３ｍｍから約８ｍｍの範囲、例えば３ｍｍ、４ｍｍ、５ｍｍ、６ｍｍ、７ｍｍ、８ｍｍ又は前記値の任意の値に及ぶ範囲内の値、好ましくは約５.１ｍｍの直径Ｍ’（図３Ｅ参照）を持つことができる。受容体孔１３０は、近位端部１２８の縁から約０.５ｍｍから約２.５ｍｍの範囲、例えば０.５ｍｍ、１ｍｍ、１.５ｍｍ、２ｍｍ又は２.５ｍｍ又は前記値の任意の値に及ぶ範囲内の値、好ましくは約１.５ｍｍの距離Ｈ’（図３Ｂ参照）に配置できる。いくつかの実施形態において、ハンドル軸部１６４（図５Ａ参照）は、例えば、溶接又は当該技術分野において既知の他の接続によって受容体孔１３０に固定的に接続される。他の実施形態において、ハンドル軸部１６４（図５Ａ参照）は、例えば圧縮取付け、ねじ式取付け又はロック機構によって受容体孔１３０に分離可能に接続される。更に別の実施形態において、ハンドル軸部１６４（図５Ａ参照）は、ガイドベース１２２とハンドル軸部１６４（図５Ａ参照）との間の角度を調節できるようにするために、例えば蝶番又は玉継手によって、ガイドベース１２２に回転可能に接続できる。いくつかの実施形態において、受容体孔１３０は、近位端部１２８に対して約５°から約４０°の範囲、例えば、５°、１０°、１５°、２０°、２５°、３０°、３５°、４０°又は前記値の任意の値に及ぶ範囲内の値、好ましくは２０°の角度Ｅ’（図３Ｃ参照）に配置される。
【００５７】
図３Ａから３Ｇ及び図１２を参照すると、ガイドベースの遠位端部１２９は、ノーズ１３４及びノーズ先端部１３８を含む。ノーズ１３４は、約８ｍｍから約１８ｍｍの範囲、例えば８ｍｍ、１０ｍｍ、１２ｍｍ、１４ｍｍ、１６ｍｍ、１８ｍｍ又は前記値の任意の値に及ぶ範囲内の値、好ましくは約１２.７ｍｍの長さＪ’（図３Ｄ参照）を持つことができる。ノーズ先端部１３８は、約１０ｍｍから約２０ｍｍの範囲、例えば１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、２０ｍｍ又は前記値の任意の値に及ぶ範囲内の値、好ましくは約１４.６ｍｍの幅Ａ’（図３Ａ参照）を持つことができる。ノーズ先端部１３８は、約７ｍｍから約１４ｍｍの範囲、例えば７ｍｍ、８ｍｍ、９ｍｍ、１０ｍｍ、１１ｍｍ、１２ｍｍ、１３ｍｍ、１４ｍｍ又は前記値の任意の値に及ぶ範囲内の値、好ましくは約９.９ｍｍの高さＢ’（図３Ａ参照）を持つことができる。いくつかの実施形態において、ノーズ先端部１３８は、面取り１３２を持つ。
【００５８】
第１の周縁ガイド孔１２６の中点は、第２の周縁ガイド孔１２６の中点から約１０ｍｍから約３５ｍｍの範囲、例えば１０ｍｍ、１５ｍｍ、２０ｍｍ、３０ｍｍ、３５ｍｍ又は前記値の任意の値に及ぶ範囲内の値だけ離れて位置付けできる（例えばＮ’、Ｐ’又はＵ’に合致する距離。図３Ｆ参照）。好ましい実施形態において、任意の２つの周縁ガイド孔の中点は、約１３ｍｍから約２６ｍｍ離れる。各周縁ガイド孔１２６の中点は、内部チャンネル１８２の中点から約１０ｍｍから約２０ｍｍの範囲、例えば１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、２０ｍｍ又は前記値の任意の値に及ぶ範囲内の値に位置付けできる。好ましい実施形態において、１つ以上の周縁ガイド孔１２６の中点は、内部チャンネルの中点から約１３.２ｍｍに在る。好ましい実施形態において、ガイドワイヤなどの装置を骨（例えばヒトの大腿骨）の中へ挿入するために使用できる骨ドリルガイドは、内部チャンネル１８２の周りに位置付けられた４つの周縁ガイド孔（例えば図３Ｆ参照）を有するガイドベース１２２を含む。この場合、内部チャンネル１８２の上又は下（例えば図３Ｆの向きで見て）の対の周縁ガイド孔１２６は、約１５ｍｍから約３０ｍｍの範囲、例えば１５ｍｍ、２０ｍｍ、２５ｍｍ、３０ｍｍ又は前記値の任意の値に及ぶ範囲内の値、好ましくは２３ｍｍの中点間の距離Ｐ’（図３Ｆ参照）を有する。この実施形態において、内部チャンネル１８２の左又は右（図３Ｆの向きで見て）の対の周縁ガイド孔１２６は、約８ｍｍから約２０ｍｍの範囲、例えば８ｍｍ、１０ｍｍ、１２ｍｍ、１４ｍｍ、１６ｍｍ、１８ｍｍ、２０ｍｍ又は前記値の任意の値に及ぶ範囲内の値、好ましくは約１３.１ｍｍの中点間の距離Ｎ’（図３Ｆ参照）を有する。
【００５９】
図４Ａから４Ｃ及び図３４Ｂを参照すると、弧状要素１４２は、近位端部１５８と遠位端部１５１とを有する。弧状要素１４２は、凹状面１４４と凸状面１４６とを有する。凹状面１４４は、１つ以上のタイプの骨に堅固に着座できるようにする曲率を有する。例えば、凹状面１４４は、半径ｒ及び中心角θ（図４Ｃ及び３４Ｂ参照）との間に幾何学的関係を持つ弧長Ｌ（図３４Ｂ参照）を持つことができる。半径ｒは、約１５ｍｍから約６０ｍｍの範囲、例えば約１５ｍｍ、２０ｍｍ、２５ｍｍ、３０ｍｍ、３５ｍｍ、４０ｍｍ、４５ｍｍ、５０ｍｍ、５５ｍｍ、６０ｍｍ又は前記値の任意の値に及ぶ範囲内の値、好ましくは約２０.８ｍｍとすることができる。中心角θ（図３４Ｂ参照）は、約４５°から約１５０°の範囲、例えば４５°、５０°、５５°、６０°、６５°、７０°、７５°、８０°、８５°、９０°、９５°、１００°、１０５°、１０６°、１０７°、１０８°、１０９°、１１０°、１１５°、１２０°、１２５°、１３０°、１３５°、１４０°、１４５°、１５０°又は前記値の任意の値に及ぶ範囲内の値、好ましくは約１０８°とすることができる。弧長Ｌ（図３４Ｂ参照）は、約１５ｍｍから約６０ｍｍの範囲、例えば約１５ｍｍ、２０ｍｍ、２５ｍｍ、３０ｍｍ、３５ｍｍ、４０ｍｍ、４５ｍｍ、５０ｍｍ、５５ｍｍ、６０ｍｍ又は前記値の任意の値に及ぶ範囲内の値、好ましくは約３９.３７ｍｍとすることができる。
【００６０】
いくつかの実施形態において、凹状面１４４が弧長Ｌ（図３４Ｂ参照）を持つ円弧であると見なせるように、凹状面１４４は、実質的に一定の半径ｒを持つと理解されるべきである。他の実施形態において、凹状面１４４は様々な点で可変的半径を持ち、これによって、凹状面１４４に様々な形状例えば楕円形又は卵形を与えることができる。いくつかの実施形態において、凹状面１４４の半径ｒは、例えば弧状要素１４２が中実組立体として提供されるので、固定的である。他の実施形態において、凹状面１４４の半径ｒは調節可能である。いくつかの実施形態において、凹状面１４４は、例えば蝶番及び／又はロックラチェットを持ち、蝶番及び／又はロックラチェットは、特定の実施形態において、例えばハンドル握り部１６６に含まれるレバーによって、弧状要素１４２において手動で又は他の手段によって、作動可能である。他の実施形態において、凹状面１４４の半径ｒは、手で調節できる。他の実施形態において、弧状要素１４２は、凹状面１４４の全部又は一部に、骨に対する骨ドリルガイド１００の把握力（即ち牽引力）を増大できる隆起又はその他の表面構造を持つことができる。いくつかの実施形態において、グリップ又はテクスチャ材料は、凹状面１４４の全部又は一部に沿って含まれるか又は付加的層として与えられる。
【００６１】
図４Ａから４Ｃを参照すると、弧状要素１４２は、凹状面１４４の曲率の関数として規定できる、約１５ｍｍから約６０ｍｍの範囲、例えば約１５ｍｍ、２０ｍｍ、２５ｍｍ、３０ｍｍ、３５ｍｍ、４０ｍｍ、４５ｍｍ、５０ｍｍ、５５ｍｍ、６０ｍｍ又は前記値の任意の値に及ぶ範囲内の値、好ましくは約４０.６ｍｍの高さＢ’（図４Ｂ参照）を有する。弧状要素１４２は、約５ｍｍから約２０ｍｍの範囲、例えば５ｍｍ、６ｍｍ、７ｍｍ、８ｍｍ、９ｍｍ、１０ｍｍ、１１ｍｍ、１２ｍｍ、１５ｍｍ、２０ｍｍ又は前記値の任意の値に及ぶ範囲内の値、好ましくは約９.５ｍｍの幅Ｃ’（図４Ｂ参照）を持つことができる。弧状要素は、先端部１５６を持つことができ、先端部は、約４ｍｍから約１２ｍｍの範囲、例えば４ｍｍ、６ｍｍ、８ｍｍ、１０ｍｍ、１２ｍｍ又は前記値の任意の値に及ぶ範囲内の値、好ましくは約６.４ｍｍの幅Ｋ’（図４Ａ参照）を持つことができる。先端部１５６は、弧状要素１４２の近位端部１５８から少なくとも距離Ｊ’（図４Ａ参照）に配置できる。距離Ｊ’は、約１２ｍｍから約２８ｍｍの範囲、例えば１２ｍｍ、１４ｍｍ、１６ｍｍ、１８ｍｍ、２０ｍｍ、２４ｍｍ、２６ｍｍ、２８ｍｍ又は前記値の任意の値に及ぶ範囲内の値、好ましくは約２０.４ｍｍとすることができる。
【００６２】
図４Ａから４Ｃを参照すると、いくつかの実施形態において、近位端部１５８と遠位端部１５１とを有する弧状要素１４２は、軸部１０２の遠位端部１０４（図２Ａから２Ｃ参照）を受容するサイズを持つ受容体１４８を有する。受容体１４８は、近位領域と遠位領域とを持つことができ、いくつかの実施形態において、２つの領域は異なる内径及び／又は長さを持つことができる。例えば、弧状要素１４２の遠位端部１５１において受容体１４８は、約３ｍｍから約９ｍｍの範囲、例えば３ｍｍ、５ｍｍ、７ｍｍ、又は９ｍｍ又は前記値の任意の値に及ぶ範囲内の値、好ましくは５.８ｍｍの内径Ｆ’（図４Ｃ参照）を持つことができる。弧状要素１４２の近位端部１５８において受容体１４８は、約４ｍｍから約１０ｍｍの範囲、例えば４ｍｍ、６ｍｍ、８ｍｍ、１０ｍｍ又は前記値の任意の値に及ぶ範囲内の値、好ましくは約７ｍｍの内径Ｄ’を持つことができる。弧状要素１４２の近位端部１５８における受容体１４８の領域は、約８ｍｍから約１６ｍｍの範囲、例えば８ｍｍ、１０ｍｍ、１２ｍｍ、１４ｍｍ、１６ｍｍ又は前記値の任意の値に及ぶ範囲内の値、好ましくは約１２.７ｍｍの長さＥ’（図４Ｃ参照）を持つことができる。受容体１４８は、遠位−近位方向に、約１０ｍｍから約４０ｍｍの範囲、例えば１０ｍｍ、１５ｍｍ、２０ｍｍ、２５ｍｍ、３０ｍｍ、３５ｍｍ、４０ｍｍ又は前記値の任意の値に及ぶ範囲内の値、好ましくは約１９.１ｍｍの全長Ｇ’（図４Ａ参照）を持つことができる。弧状要素１４２は、約８ｍｍから約１６ｍｍの範囲、例えば８ｍｍ、１０ｍｍ、１２ｍｍ、１４ｍｍ、１６ｍｍ又は前記値の任意の値に及ぶ範囲内の値、好ましくは約１２.７ｍｍの高さＨ’（図４Ａ参照）を持つことができる。
【００６３】
図３６Ａ及び３６Ｂを参照すると、いくつかの実施形態において、弧状要素１４２は、１から８、例えば１、２、３、４、５、６、７又は８個のピン穴１４３、好ましくは２つのピン穴１４３を持つことができる。いくつかの実施形態において、ピン穴１４３は、図３６Ａ及び３６Ｂに示すように軸部１０２の長手軸及び内部チャンネル１８２に対して実質的に平行である。他の実施形態において、ピン穴１４３は、軸部１０２の長手軸及び内部チャンネル１８２に対して非平行であり、例えば、ピン穴１４３は、弧状要素１４２の半径ｒ（図３４Ｂ参照）と整列できる。ピン穴１４３は、約２ｍｍから約１８ｍｍの範囲、例えば２ｍｍ、４ｍｍ、６ｍｍ、８ｍｍ、１０ｍｍ、１２ｍｍ、１４ｍｍ、１６ｍｍ、１８ｍｍ又は前記値の任意の値に及ぶ範囲内の値、好ましくは約３.４ｍｍの内径を持つことができる。ピン穴１４３は、図３６Ａに示す向きで見て、軸部１０２の上、下、又は、好ましくは上下両方に位置付けることができる。いくつかの実施形態において、ピン穴１４３の中点は、弧状要素１４２の中央に配置される。いくつかの実施形態において、ピン穴１４３の中点は、内部チャンネル１８２の中点と整列する。いくつかの実施形態において、ピン穴１４３の中点は、内部チャンネル１８２の中点から約１０ｍｍから約３０ｍｍの範囲、例えば１０ｍｍ、１４ｍｍ、１６ｍｍ、２０ｍｍ、２４ｍｍ、２８ｍｍ又は３０ｍｍに位置付けできる。
【００６４】
図５Ａ及び５Ｂを参照すると、ハンドル軸部１６４は、遠位端部１７２と近位端部１７０とを有する（図６Ａ参照）。遠位端部１７２は、ガイドベース１２２の受容体孔１３０（図３Ｂから３Ｃ参照）の中へ挿入できるサイズを持つ。ハンドル軸部１６４は、約７０ｍｍから約１１０ｍの範囲、例えば７０ｍｍ、７５ｍｍ、８０ｍｍ、８５ｍｍ、９０ｍｍ、９５ｍｍ、１００ｍｍ、１０５ｍｍ、１１０ｍｍ又は前記値の任意の値に及ぶ範囲内の値、好ましくは約８９ｍｍの長さＡ’（図５Ａ参照）を持つことができる。ハンドル軸部１６４は、約２ｍｍから約１０ｍｍの範囲、例えば約２ｍｍ、３ｍｍ、４ｍｍ、５ｍｍ、６ｍｍ、７ｍｍ、８ｍｍ、９ｍｍ、１０ｍｍ又は前記値の任意の値に及ぶ範囲内の値、好ましくは約５.１ｍｍの直径を持つことができる。いくつかの実施形態において、ハンドル軸部１６４は、ハンドル握り部１６６（図６Ｂ参照）に固定するためのダウエルピン穴１６８を含むことができる。ハンドル軸部ダウエルピン穴１６８は、約１ｍｍから約３ｍｍの範囲、例えば１ｍｍ、２ｍｍ、３ｍｍ又は前記値の任意の値に及ぶ範囲内の値、好ましくは１.６ｍｍの直径を持つことができる。ハンドル軸部ダウエルピン穴１６８は（もし、ある場合には）、ハンドル軸部１６４の近位端部１７０から、約２ｍｍから約６ｍｍの範囲、例えば２ｍｍ、４ｍｍ、６ｍｍ又は前記値の任意の値に及ぶ範囲内の値、好ましくは約４.４ｍｍの距離Ｂ’（図５Ａ参照）に配置できる。
【００６５】
図６Ａから６Ｃを参照すると、ハンドル握り部１６６は、約９０ｍｍから約１５０ｍｍの範囲、例えば９０ｍｍ、１００ｍｍ、１１０ｍｍ、１２０ｍｍ、１３０ｍｍ、１４０ｍｍ、１５０ｍｍ又は前記値の任意の値に及ぶ範囲内の値、好ましくは約１１９.３ｍｍの長さＡ’（図６Ａ）を持つことができる。ハンドル握り部１６６は、その最も幅広の点において、約１５ｍｍから約５０ｍｍの範囲、例えば１５ｍｍ、２０ｍｍ、２５ｍｍ、３０ｍｍ、３５ｍｍ、４０ｍｍ、４５ｍｍ、５０ｍｍ又は前記値の任意の値に及ぶ範囲内の値、好ましくは約２８ｍｍの直径Ｂ’（図６Ｂ参照）を持つことができる。ハンドル握り部１６６は、その最も狭い点において、約１０ｍｍから約２０ｍｍの範囲、例えば１０ｍｍ、１２ｍｍ、１４ｍｍ、１６ｍｍ、１８ｍｍ、２０ｍｍ又は前記値の任意の値に及ぶ範囲内の値、好ましくは約１５.７ｍｍの直径Ｌ’（図６Ｂ参照）を持つことができる。いくつかの実施形態において、ハンドル握り部１６６は、ハンドル軸部受容体１７８を有し、この中へハンドル軸部の近位端部１７０（図５Ａ参照）を挿入できる。ハンドル軸部受容体１７８は、約２０ｍｍから約４０ｍｍの範囲、例えば２０ｍｍ、２５ｍｍ、３０ｍｍ、３５ｍｍ、４０ｍｍ又は前記値の任意の値に及ぶ範囲内の値、好ましくは約３０.５ｍｍの長さＣ’（図６Ｂ参照）を持つことができる。ハンドル軸部受容体１７８は、約３ｍｍから約８ｍｍの範囲、例えば３ｍｍ、５ｍｍ、６ｍｍ、８ｍｍ又は前記値の任意の値に及ぶ範囲内の値、好ましくは約５ｍｍの内径Ｄ’（図６Ｂ参照）を持つことができる。他の実施形態において、スクリュー又はその他の締結具を用いて、ハンドル握り部１６６をハンドル軸部１６４に固定できる。いくつかの実施形態において、ハンドル握り部１６６は、ハンドル軸部にプレス嵌めされる。他の実施形態において、ハンドル握り部１６６は、例えば溶接、接着剤又は当該技術分野において既知の他の接続によって、ハンドル軸部１４に固定的に取り付けられる。他の実施形態において、ハンドル軸部１６４は、ハンドル握り部１６６と一体として提供される。いくつかの実施形態において、ハンドル握り部１６６は、ハンドル軸部にピン止めされ、ハンドル握り部１６６は、ダウエルピン穴１７４を有する。ダウエルピン穴１７４は、ハンドル握り部１６６の遠位端部１７７から距離Ｊ’（図６Ａ参照）に配置できる。距離Ｊ’は、約１６ｍｍから約３２ｍｍの範囲、例えば１６ｍｍ、２０ｍｍ、２４ｍｍ、２８ｍｍ、３２ｍｍ又は前記値の任意の値に及ぶ範囲内の値、好ましくは約２３.３ｍｍとすることができる。いくつかの実施形態において、ダウエルピン穴１７４がハンドル軸部のダウエルピン穴１６８（図５Ａ参照）と整列したとき、これらのダウエルピン穴を貫通してダウエルピンを挿入して、ハンドル握り部１６６をハンドル軸部１６４（図５Ａ参照）に固定できる。ダウエルピンは、固定的に（例えば糊、接着剤などで）又は取外し可能に挿入できる。ハンドル握り部１６６は、隆起又はテクスチャ要素を持つか又は付加的なテクスチャ材料を加えるか、又は操作者の手の中でのハンドルの滑りを防止又は最小化するために快適で安定した握りを容易にするための設計を持つことができ��。
【００６６】
図７Ａから７Ｂを参照すると、内部チャンネル１８２は、ガイドベース１２２、軸部１０２及び弧状要素１４２を貫通する。内部チャンネル１８２は、ガイドワイヤ及びその他の装置を滑動可能に挿入できるサイズを持つ。例えば、ガイドワイヤは内部チャンネル１８２の近位開口部１８４の中へ挿入でき、遠位開口部１８６を通過して骨の中へ入ることができる。いくつかの実施形態において、内部チャンネル１８２は、５.５ｍｍドリルガイドを滑動可能に挿入できるサイズを持つ。例えば、５.５ｍｍドリルガイドは、内部チャンネル１８２の近位開口部１８４の中へ挿入できる。いくつかの実施形態において、ガイドベース１２２、軸部１０２及び弧状要素１４２は、例えば図７Ｂに示すように固定的に（例えば溶接又は当該技術分野において既知の接続によって）又は取外し可能に（例えば圧縮取付け、ねじ式取付けなどによって）接合されうるサブアセンブリとして提供される。例えば、軸部１０２の遠位端部１０４は、弧状要素１４２の受容体１４８（図４Ａ参照）の中へ嵌め込むことができる（挿入は矢印方向）。いくつかの実施形態において、軸部１０２の差込部１１２は、軸部１０２の凹状端部１１４（図２Ｂ参照）が弧状要素１４２の凹状面１４４と面一になるように、弧状要素１４２の受容体１４８の遠位領域に配置される。軸部１０２の近位端部１０６は、ガイドベース１２２の受容体１３６（図３Ｃ参照）の中へ嵌め込むことができる（挿入は矢印の方向）。いくつかの実施形態において、軸部１０２の近位差込部１１０は、近位差込部１１０の端部がガイドベース１２２の近位端部１２８と面一になるように、ガイドベース１２２の受容体１３６の近位領域に配置される。他の実施形態において、ガイドベース１２２、軸部１０２及び弧状要素１４２は、各要素を貫通する内部チャンネル１８２を有する単一体として提供される。単一体は、型成形、鋳造、三次元（３Ｄ）プリント、機械加工又は当該技術分野において既知の他の技法によって形成できる。
【００６７】
図８Ａ及び８Ｂは、それぞれ骨ドリルガイド１００の底面図及び頂面図である。図９Ａ及び９Ｂは、それぞれ骨ドリルガイド１００の背面図及び前面図である。
【００６８】
機能的設計
【００６９】
本発明の骨ドリルガイドの長さは、軸部１０２、ガイドベース１２２及び／又は弧状要素ベース１５０（図１Ａ参照）の長さを増減することによって変更できる。例えば、軸部１０２の長さＡ’（図２Ａ参照）、ガイドベース１２２の長さＫ’（図３Ｄ参照）又は長さＡ’（図４Ａ参照）は、単独で又は組み合わせて変更できる。他の要素の寸法は比例的に調整できる。例えば、軸部１０２の近位差込部１１０の長さＣ’（図２Ａ参照）又は軸部１０２の長さＡ’（図２Ａ参照）は、ガイドベース１２２の長さＫ’の変化に合わせて調整できる。装置の長さは、異なるサイズの操作者のために異なるサイズの骨への骨ドリルガイド１００の使用に対処するため又はガイドワイヤ、ガイドピン、ドリルビットなど異なる装置に対処するために修正できる。
【００７０】
ガイドベース１２２は、周縁ガイド孔の数及び／又は内部チャンネル１８２に対する位置を変えるために修正できる。例えば、様々な数（例えば１又は２）及び位置付けの周縁ガイド孔１２６を持つガイドベースの代表的修正について、図３５Ａから３５Ｆに示す。例えば、周縁ガイド孔１２６の中点の相互間の又は内部チャンネル１８２に対する距離は、所与の骨のサイズ又は寸法に応じて変更できる。別の代表的修正は、内部チャンネル１８２に対する周縁ガイド孔１２６の中点間の距離を増減することである。これらの修正は、更に、例えばガイドベースの幅Ｏ’（図３Ｆ参照）又は高さＬ’（図３Ｄ参照）、ガイドウィング１２７の位置などの修正を含めて、ガイドベース１２２自体の更なる修正を伴うことができる。例えば、ガイドウィング１２７の幅Ｒ’（図３Ｇ参照）は、複数の周縁ガイド孔１２６を収容するために変えることがでえきる。いくつかの実施形態において、ガイドベース１２２は、異なるサイズの骨への骨ドリルガイドの使用に対処するため、例えばガイドワイヤ、ガイドピン、ドリルビット、スリーブ、計測装置など様々な装置に対処するためなど、に修正できる。いくつかの実施形態において、ガイドベース１２２は、例えば骨ドリルガイド１００の第１のガイドベース１２２を、異なる数及び／又は空間的配列の周縁ガイド孔１２６を持つ第２のガイドベース１２２に置き換えられるように、骨ドリルガイド１００から容易に取り外せるように設計できる。
【００７１】
弧状要素１４２は、骨に対する装置の着座の仕方を変えるように修正できる。弧状要素１４２の形状は、骨に対する骨ドリルガイド１００の着座を最適化するように変更できる。例えば、弧状要素１４２の凹状面１４４の曲率は、例えば凹状面１４４の半径ｒ、弧長Ｌ又は中心角θ（図３４Ｂ参照）を変更することによって、所望の骨の平均寸法又はメジアン寸法の母集団データに基づいて変更できる。弧状要素１４２の曲率は、骨の任意の識別可能な凸状面に係合するように設計できる。例えば、弧状要素１４２の曲率は、踵骨、脛骨、大腿骨、骨盤、上腕骨、橈骨及び尺骨、頭蓋、足根骨、趾骨及び中足骨に係合するように設計できる。骨は、その長さ又は幅に沿って異なる形状を持つ可能性がある。例えば、大腿骨本体は、実質的に円筒形であり、脛骨及び膝蓋骨と関節接続する遠位部において湾曲下端を持ち、大転子並びに頸部及び頭部を含む近位領域を持つ。したがって、本発明の骨ドリルガイドは、骨の固有の解剖学的特徴例えば大腿骨大転子と境界を形成できる弧状要素を持つように設計できる。弧状要素１４２は、例えば蝶番、ラチェット又はその他の機構を用いて、凹状面１４４の曲率に調節可能性を与えるように設計できる。弧状要素１４２は、例えば骨ドリルガイド１００から取り外して、異なる曲率又はサイズを持つ異なる弧状要素１４２と置き換えられるように、交換可能に設計できる。骨ドリルガイドは、骨の識別可能な凹状面に係合するように修正できることも分かるはずである。これらの実施形態において、弧状要素１４２の凹状面１４４及び凸状面１４６の位置は、凸状面１４６が骨に当接するように逆転できる。弧状要素１４２の曲率は、この実施形態においても、上述のように調節可能とすることができる。弧状要素１４２は、任意の識別可能な実質的に平坦な骨の表面に係合するようにも設計できる。ハンドル軸部１６４とハンドル握り部１６６とを含むハンドル１６２の寸法は、快適さ、把握力の増大などのために、装置の人間工学的構造を変えるように修正できる。例えば、握り部の材料を変えるか、又は様々な指を収容するサイズの溝を加えることができる。ハンドル１６２の他の要素も修正できる。例えば、ハンドル軸部１６４の長さＡ’（図５Ａ参照）を変更して、ハンドルに対するガイドベース１２２の位置を変えられる。
【００７２】
スリーブ
【００７３】
構造
【００７４】
図１０Ａから１０Ｂ、１１Ａから１１Ｂ，１２、１３及び１４を参照すると、スリーブ２００は、ガイドベース１２２の周縁ガイド孔１２６の中へ滑動可能に挿入できる。特定の実施形態において、ガイドベース１２２は数個のスリーブ２００を収容でき、スリーブの各々は、個別の周縁ガイド孔１２６の中へ挿入できる。スリーブ２００の近位端部２０２は、ガイドベース１２２の近位端部１２８（図３Ｅ参照）に当接できる。スリーブ２００の近位端部２０２は、スリーブ２００を捕捉するのを助けることが可能な隆起２０４を持つことができる。チャンネル２０６は、スリーブ２００の近位端部２０２及び遠位端部２１０を貫通し、ガイドワイヤを含めて器材又は装置を滑動可能に挿入できるサイズを持つ。例えば、スリーブ２００のチャンネル２０６は、２.０ｍｍの骨スクリュー又はインプラント用のガイドワイヤ又はピンからヒップネイル案内用の１８ｍｍの範囲までに対処するサイズを持つことができる。スリーブ２００のチャンネル２０６は、約１ｍｍから約４０ｍｍの範囲、例えば１ｍｍ、２ｍｍ、３ｍｍ、４ｍｍ、５ｍｍ、６ｍｍ、８ｍｍ、１０ｍｍ、１２ｍｍ、１４ｍｍ、１６ｍｍ、１８ｍｍ、２０ｍｍ、２５ｍｍ、３０ｍｍ、３５ｍｍ、４０ｍｍ又は前記値の任意の値に及ぶ範囲内の値、好ましくは約４.２ｍｍの内径を持つことができる。スリーブ２００は、約８０ｍｍから約２２０ｍｍの範囲、例えば８０ｍｍ、１００ｍｍ、１１０ｍｍ、１２０ｍｍ、１３０ｍｍ、１４０ｍｍ、１５０ｍｍ、１６０ｍｍ、１７０ｍｍ、１８０ｍｍ、１９０ｍｍ、２００ｍｍ、２２０ｍｍ又は前記値の任意の値に及ぶ範囲内の値、好ましくは約１４４ｍｍの長さを持つことができる。
【００７５】
操作
【００７６】
本発明の骨ドリルガイドは、整形外科に使用でき、既知の骨ドリルガイドに比べていくつかの利点がある。特に、骨ドリルガイドは、骨に対して堅固に着座できるようにする一方で、骨の中へ器材を挿入するために適切又は正確な位置の決定時に並進及び回転運動を可能にして、既知のドリルガイドに比べて著しく本発明の骨ドリルガイドを正確に位置付けし易くする。いくつかの実施形態において、骨ドリルガイドは、骨に対して堅固に着座できる。既知のドリルガイドは、骨への着座が弱く、特にガイドに角度又は並進が必要とされる場合には、骨から滑って離れることがしばしばある。本発明のドリルガイドの弧状要素１４２は、外科処置時に骨に堅固に着座できるようにしながら、必要であれば骨に沿って骨ドリルガイドが並進及び回転移動できるようにする。これによって、執刀者がガイドワイヤ又はその他の器材の適切な挿入場所を決定するとき、手術の滑り易い環境において望ましくない滑りの可能性を減少し、手術時に調節し易くする。適切な位置が特定され得られたら（このことはＸ線を使用することによって容易になる）、骨に対するドリルガイドの堅固な着座により、骨へのガイドワイヤ及び／又はその他の器材の確実な挿入が可能になる。
【００７７】
弧状要素１４２は、特に骨に対して堅固にしかし調節可能に着座できるようにする１つの特徴である。本発明のいくつかの実施形態において、弧状要素１４２の凹状面１４４は、具体的には、操作者が１つ以上の器材を挿入したい骨に対してぴったりと嵌るサイズを持つ。好ましい実施形態において、凹状面の曲率は、弧状要素１４２が骨から簡単に滑って外れないように骨の曲率に実質的に合致する。
【００７８】
いくつかの実施形態において、凹状面１４４は、１つのタイプの骨に堅固に着座できるようにする固定曲率を有する。特定の実施形態において、凹状面１４４は、様々なタイプの骨（例えば２、３、４、５、６又はそれよりも多い異なるタイプの骨）に対して堅固に着座できるようにする固定曲率を有し、例えば別個の処置において様々な骨の中へ又は１つの処置の過程でいくつかの異なる骨の中へ器材を挿入するために、骨ドリルガイド１００を様々な骨への処置に使用できるようにする。
【００７９】
特定の実施形態において、弧状要素１４２は、ドリルガイドから取外し可能であり、操作者が、特定の患者のために、又は、複数の異なるタイプの骨の中へガイドワイヤ、ドリルビット又はその他の器材を挿入するために、選択された様々なサイズ又は形状の複数の弧状要素１４２で骨ドリルガイド１００をカスタマイズできるようにする。他の実施形態において、凹状面１４４は、数個の異なるタイプの骨に対して堅固に着座できるように調節できる曲率を有し、それによって、操作者が、弧状要素を変えることなく単一の処置において複数の骨のタイプにドリルガイドを使用できるようにする。
【００８０】
１つの操作モードにおいて、操作者は、手でハンドル握り部１６６を握って、取り付けられた骨ドリルガイドを骨の所望の領域まで案内することによって、骨に対して本発明の骨ドリルガイドを着座できる。操作者は、骨上に弧状要素１４２の凹状面１４４を位置付けて、力を加えることによって弧状要素１４２を骨上の前記位置に維持できる。弧状要素１４２の設計は、この特徴を持たない既知のドリルガイドに比べて小さい力で骨ドリルガイドを着座させておくことができる。ガイド要素の位置を変えるためには、操作者は、凹状面１４４を骨に並置したままハンドル握り部１６６を保持することによってハンドル１６２を握り、次いで骨ドリルガイドを所望の方向に移動させることができる。骨ドリルガイドの位置は、弧状要素１４２を骨に沿って滑動するようにハンドル１６２の方向を定めることによって、骨の長手軸に沿って並進できる。角度は、例えば凹状面１４４を骨の長手軸に沿って同じ位置に維持しながらハンドルを引き上げ又は引き下げることによって得られる。本発明の骨ドリルガイドは、操作者の片手又は両手で握ることができる。好ましい実施形態において、操作者は、片手で骨ドリルガイドを所望の位置に維持しながら、他方の手で、内部チャンネル１８２の中へ又は周縁ガイド孔１２６内部に配置されたスリーブ２００へガイドワイヤ又は他の装置又は器材を挿入すること又は回転ドライバ例えばドリル又はスクリュードライバを操作することを含めて、他の作業を実施できる。他の形態において、１人の操作者は所望の位置に骨ドイルガイドを保持し、別の操作者が、内部チャンネル１８２の中へ又は周縁ガイド孔１２６内部に配置されたスリーブ２００へガイドワイヤ又は他の装置又は器材を挿入すること又は回転ドライバ例えばドリル又はスクリュードライバを操作することを含めて、他の作業を実施できる。
【００８１】
操作者が所望の位置に本発明の骨ドリルガイドを位置付けしたら、操作者は、内部チャンネル１８２、周縁ガイド孔１２６又は周縁ガイド孔１２６の中へ滑動可能に挿入されたスリーブ２００を通過して骨の中へ装置を挿入できる。いくつかの実施形態において、ガイドワイヤが、まず内部チャンネル１８２を通過して配置された後、後続のガイドワイヤが、周縁ガイド孔１２６に配置された１つ以上のスリーブへ挿入される。
【００８２】
身体の矢状面の両側の多くの対の骨は、実質的に相互に鏡像である。例えば、左大腿骨は、実質的に右大腿骨の鏡像である。いくつかの実施形態において、本発明の骨ドリルガイドは、例えば骨ドリルガイドに変更又は修正を加える必要なく、身体の解剖学的に両側の骨の中へ器材を挿入するために使用できる。例えば、操作者は、欠陥骨に対して本発明のドリルガイドを位置付けし、その後欠陥骨が存在する身体の適切な解剖学的側（例えば左側又は右側）用に設計された周縁ガイド孔１２６を使用できる。いくつかの実施形態において、操作者は、骨の中へガイドワイヤ又はその他の器材を挿入するために解剖学の知識を用いて解剖学的左あるいは右側に使用するように設計された周縁ガイド孔１２６の数個の群から選択できる。
【００８３】
骨の適切な又は正確な位置の中へのガイドワイヤの挿入は、典型的には、例えばＸ線又は蛍光透視法によって監視される。既知の骨ドリルガイドを用いて正確な又は適切な位置へガイドワイヤ又はその他の器材を挿入することは難しいので、このプロセスは所与の手術において最も時間のかかるステップの１つである場合が多い。このことは望ましくない。なぜなら、有害な放射線の過剰な又は不要な暴露を防止するために、患者がＸ線に曝される時間を最小限に抑えなければならないからである。また、例えば手術室の時間コストは高いので、経済的にも望ましくない。本発明の骨ドリルガイドは、Ｘ線又は同様の画像化法と一緒に使用できる。側方Ｘ線画像と一緒に使用する場合、骨ドリルガイド１００の内部チャンネル１８２及び／又は周縁ガイド孔１２６は、正確又は望ましい位置に骨ドリルガイド１００を位置付ける際操作者を助ける照準として機能できる。この特徴は、骨ドリルガイドの骨への堅固なしかし調節可能な着座と共に、骨ドリルガイド及び器材を正確に位置付けするために必要な時間量を著しく減少する。骨に対して正確又は望ましい位置及び向きに本発明の骨ドリルガイドを位置付けるには、Ｘ線と一緒に使用すれば約１分以内に実施できる。このステップは、既知の骨ドリルガイドを用いると１５分もかかる可能性がある。好ましい実施形態において、骨ドリルガイドの断面は、側方Ｘ線画像において大腿骨頭の邪魔されない視覚化を可能にする。既知の骨ドリルガイドにおいては、ガイドの断面はこのＸ線を遮断して、正確な配置を困難にする。
【００８４】
いくつかの実施形態において、本発明の骨ドリルガイドは、弧状要素１４２の１つ以上のピン穴１４３を特徴とする。この特徴は、適切なガイドワイヤの位置付け及び骨への穿孔を容易にして、骨（例えば大腿骨）上での骨ドリルガイドの安定化を助ける。いくつかの実施形態において、装置（例えば、ガイドワイヤ又はピン）は、１つ以上のピン穴１４３を通過して軟組織の中へ（例えば広筋中間の下に及び大腿骨頸部の表面に沿って大腿骨頭の中へ）挿入できる。ガイドワイヤは、ピン穴１４３を通過して図３６Ａの矢印の方向に挿入できる。他の実施形態において、ピン穴１４３を用いて、例えば骨上での骨ドリルガイドの位置付けを視覚的に決定できるようにすることによって、装置を挿入することなく骨に沿って骨ドリルガイドの位置付けを助けることができる。
【００８５】
しばしば、処置時に、器材の複数のピースが骨の中へ挿入される。本発明の骨ドリルガイドは、規定された相対位置及び向きにおいて骨の中へ器材の複数のピースを順次挿入できるように設計される。ガイドベース１２２の設計、特に内部チャンネル１８２に対する周縁ガイド孔１２６の位置付けは、多様な骨及び処置に使用するために固有に設計された位置及び向きに器材を挿入できるようにする。いくつかの実施形態において、骨ドリルガイドは、使用時に骨の中へ挿入された装置又は器材が相互に対して平行関係を持つように（例えば、２つの骨スクリューは、上部左及び右の周縁ガイド孔において図９Ａに示す骨ドリルガイドを用いて骨の中へ挿入できる）、周縁ガイド孔が指向されるように、構成される。他の実施形態において、骨ドリルガイドは、使用時に骨の中へ挿入された装置又は器材が相互に非平行の角度を成す関係を持つように周縁ガイド孔が指向されるように、構成される。骨ドリルガイド１００のガイドベース１２２は、個別の周縁ガイド孔１２６及び／又は周縁ガイド孔１２６に挿入されたスリーブ２００を通過して一度に所望の数のガイドワイヤ又はその他の器材を収容できるように設計される。最初のガイドワイヤが骨の中へ挿入されたら、骨ドリルガイド１００の周縁ガイド孔１２６は、操作者が、最初のガイドワイヤに対して制約されかつあらかじめ定められた位置において後続のガイドワイヤを骨の中へ挿入できるようにして、現行の処置に付随する当て推量の作業のほとんどを実質的に排除する。
【００８６】
特に好ましい実施形態において、骨ドリルガイド１００の内部チャンネル１８２に対する周縁ガイド孔１２６の位置付けは、骨セメントを含む流動性媒体を欠陥骨の中へ挿入するために最適化されるように複数のカニューレ式窓穴付き骨スクリューを配置できるように設計される。例えば、大腿骨頸部の欠損（例えば骨折）を修復するための処置において、１つ又は複数の周縁ガイド孔１２６の間隔及び位置付けによって、例えば骨スクリューの頭部下に配置されるワッシャ（例えば圧縮ワッシャ及び差込ワッシャ）が、外科処置において使用される場合に、重ならずかつ骨スクリューが整列する（例えば、図１７から３３参照）のを確保できる。本発明に使用できるカニューレ式窓穴付き骨スクリュー及びその他の装置は、例えば米国特許第８５７４２７３号明細書及び国際出願ＰＣＴ／ＵＳ２０１４／０２０６７８号明細書（両方の明細書は、参照によってその全体が本明細書に援用される。）において説明される。所望の数のカニューレ式窓穴付き骨スクリュー、例えば１、２、３、４、５、６、７又はそれよりも多い骨スクリューを、本発明の骨ドリルガイドを用いて骨の中へ導入できる。好ましい実施形態において、２つ又は３つのカニューレ式窓穴付き骨スクリューが、骨ドリルガイド１００によって規定される相対位置において骨の中へ導入できる。この向きは、１つ又は複数の骨スクリューを通過して骨の中へ注入できる流動性媒体（例えばリン酸カルシウム骨セメント）の押し出しによって実質的に円周に骨スクリューを増強できるように設計できる。骨セメントが使用される場合、骨セメントは、硬化後好ましい内部支持壁を生成して、欠陥骨の構造的無欠性を著しく強化することができる（骨スクリューの円周増強を示す図３２参照）。骨スクリューは、当該技術分野において既知の他の装置例えば金属骨プレートとともに使用できる。骨プレートは骨の外部に取り付けて、支持を与えることができる（例えば大腿骨骨膜表面上の側方皮質のための骨プレート）。いくつかの実施形態において、位置付け及び配列が骨ドリルガイド１００によって支配されることにより骨セメントによって形成された内部支持壁は、骨ドリルガイドを使用しない場合に必要とされるよりも小さい骨プレートを使用できるようにする。他の実施形態において、内部支持壁は、骨プレートなど外部装置の必要をなくす。
【００８７】
キット
【００８８】
本発明は、また、１つ以上のｉ）本発明の骨ドリルガイド及びｉｉ）本発明のスリーブを含むキットを特徴とする。キットは、任意に、１つ以上のガイドワイヤ、骨スクリュー（例えば、米国特許第８５７４２７３号明細書又は国際出願ＰＣＴ／ＵＳ２０１４／０２０６７８号明細書の骨スクリュー、これらの明細書の全体が参照により本明細書に援用される。）、注入装置（例えば、シリンジ）、流動性媒体の粉末（例えば自硬性骨セメントパウダー）、１つ又は複数のドリルビット、及び骨セメントパウダーを水和させるための生理学的に許容できる流体を含むことができる。流動性媒体は、使用前に医薬的に許容できる流体（例えば水、血清又は生理的食塩水）で水和できる粉末の形式で又はすぐに使用できる形式（例えばペースト、パテ又はスラリー）で提供できる。キットは、他の装置例えば米国特許第８５７４２７３号明細書又は国際出願ＰＣＴ／ＵＳ２０１４／０２０６７８号明細書において説明されるもの（例えば、スクリュー、マニホルドなど）と一緒に梱包できる。キットは、任意に、様々な骨用に設計された１つ以上の付加的弧状要素、様々な長さの軸部、様々な数又は配列の周縁ガイド孔を持つガイドベース、又は様々なサイズ又は形状のハンドル軸部又はハンドル握り部を含めて、骨ドリルガイドの付加的又は追加の構成要素を提供できる。例えば、キットは、２０.８ｍｍの半径を有する第１の弧状要素１４２と、１５ｍｍの半径を有する第２の弧状要素１４２とを含むことができる。他の実施形態において、キットは、様々な長さ、幅、高さ及び／又は曲率を有する一連の弧状要素１４２を含むことができる。他の実施形態において、キットは、１２７ｍｍの長さを有する第１の軸部１０２と１００ｍｍの長さを有する第２の軸部１０２とを含むことができる。他の実施形態において、キットは、様々な長さを有する一連の軸部１０２を含むことができる。他の実施形態において、キットは、４つの周縁ガイド孔１２６を有する第１のガイドベース１２２と、８つの周縁ガイド孔１２６を有する第２のガイドベース１２２とを含むことができる。他の実施形態において、キットは、各々異なる数又は配列の周縁ガイド孔１２６を有する一連のガイドベース１２２を含むことができる。キットに任意に含めることができる他の構成要素は、例えば、計測装置（例えばガイドワイヤ深さゲージ）、回転ドライバなどを含む。キットは、更に、骨欠損（例えば、関節下骨折、脊椎又は椎骨の欠損、又は橈骨、尺骨、腓骨、鎖骨、上腕骨、骨盤、大腿骨、膝蓋、脛骨、距骨、踵骨、舟状骨、楔状骨、中足骨、中手骨、趾骨、頭蓋、踝又は下顎骨の欠損）を治療するために骨ドリルガイド及びキットのその他の構成要素を使用するための指示を含むことができる。
【００８９】
本発明の骨ドリルガイドを用いる治療方法
【００９０】
本発明の骨ドリルガイドは、骨ドリルガイドを必要とする患者の骨欠損を治療するために使用できる。例えば、骨ドリルガイドは、凹状面又は凸状面に対し整列される中心軸が関わる、骨内のインプラント（例えばガイドワイヤ、ピン、スクリューなどの装置又はその他のインプラント）の正確な配置が性能のために重要である又は操作者によって望まれるあらゆる外科処置（例えば股関節全置換術（ＴＨＡ）カップ配置、脊椎弓根インプラントの両側方整列、骨格組織の骨折修復を含むが、これに限定されない）に、使用できる。特に、ガイドワイヤ、骨スクリュー、ドリルビット、内部固定のための構成要素（例えば、髄内ネイル、プレート装置及び外部固定ピン）及び／又はその他の装置と一緒に使用される場合、骨ドリルガイドを用いて、患者（例えば圧迫を必要とする骨折）体内において固定（例えば、圧迫固定）を提供することができる。
【００９１】
本発明の骨ドリルガイドを用いて治療できる特定の骨欠損は、例えば、骨の中のボイド、ギャップ、凹部又はその他の不連続性などの任意の骨欠陥領域を含む。骨欠損は、例えば疾患又は外傷による可能性がある。本発明の骨ドリルガイドは、例えば歯根膜欠損の修復、頭蓋顔面もしくは顎顔面手術又は形成手術、手の手術、関節形成術、骨折修復、整形外科手術及び脊椎手術（例えば、脊椎固定術及び椎骨形成手術）において適用できる。本発明の骨ドリルガイドは、例えば、骨スクリュー（ワッシャ、金属プレート、ピン、ロッド又はワイヤなど他の機械的装置と一緒に使用できる）を用いて、骨例えば骨折（又は破損）した骨を内部で安定化及び／又は接合するための骨接合術においても使用できる。例えば、本発明の骨ドリルガイドは、骨欠損及び骨折の固定（例えば圧迫固定）を与えるためにドリルビット及び骨スクリューのためのガイドとして使用されるガイドワイヤと一緒に使用できる。特に、骨ドリルガイドは、大骨の欠損又は破損の治療において有用である。骨折の非限定的例は、例えば、安定骨折、横断骨折、斜骨折、螺旋骨折、粉砕骨折及び開放・変位骨折を含む。骨折固定を必要とする代表的大骨は、例えば大腿骨（例えば、大腿骨頸部の骨折）、脛骨、腓骨、上腕骨、尺骨、橈骨、第７及び第８肋骨、無名骨（寛骨）及び胸骨を含む。
【００９２】
骨欠損（例えば関節下骨折、脊椎もしくは椎骨の欠損、又は橈骨、尺骨、腓骨、鎖骨、上腕骨、骨盤、大腿骨（例えば大腿骨頸部の骨折）、膝蓋、脛骨、踵骨、距骨、舟状骨、楔状骨、中足骨、中手骨、趾骨、頭蓋、踝、歯もしくは下顎骨の欠損）の患者を治療する方法は、以下のことを含むことができる。即ち、ａ）骨欠損に近接して骨ドリルガイド１００を位置付けること、ｂ）好ましくは骨ドリルガイド１００の内部チャンネル１８２を通過して、骨欠損に近接する所望の位置において骨の中へガイドワイヤを挿入すること、ｃ）任意に骨ドリルガイド１００の周縁ガイド孔１２６を通過して骨の中へ付加的ガイドワイヤを挿入すること。ガイドワイヤは、例えば、骨の中へ、約５０ｍｍから約１３０ｍｍ、例えば５０ｍｍ、６０ｍｍ、７０ｍｍ、８０ｍｍ、９０ｍｍ、１００ｍｍ、１１０ｍｍ、１２０ｍｍ又は１３０ｍｍの深さまで挿入できる。骨スクリューを使用するとき実施できるその後の任意のステップは、ｄ）ドリルビットで１つ以上のガイドワイヤをオーバードリルすること、ｅ）骨スクリューが骨内空間に接触するようにかつ／又は骨折の治療においては骨折線に架かるように、ガイドとして１又は複数のガイドワイヤを用いて１つ以上の骨スクリューを位置付けること、ｆ）ガイドワイヤを取り除くこと、及びｇ）マニホルドを使用するなどによって（例えば米国特許第８５７４２７３号明細書又は国際出願ＰＣＴ／ＵＳ２０１４／０２０６７８号明細書において説明するように）、骨スクリューの内部チャンネルの中へ流動性媒体（例えば骨ボイドフィラー材料、セメント又は薬剤）を導入して、流動性媒体を骨スクリューの送出チャンネルを通過して押し出せるようにし（例えば、流動性媒体は実質的に全ての又は複数の送出チャンネルを通過して例えば実質的に同量押し出される）、かつ流動性媒体が硬化できるようにし、それによって骨スクリューを所定の位置で固定すること、を含む。好ましい実施形態において、骨スクリューは、ＩｎｎｏＶｉｓｉｏｎ（米国テネシー州メンフィス）Ｎ−ＦＯＲＣＥ  ＦＩＸＡＴＩＯＮ  ＳＹＳＴＥＭ（商標）骨スクリュー、例えばＩｎｎｏＶｉｓｉｏｎカタログ番号ＩＮ００１−２５−ＦＳ、ＩＮ００１−３０−ＦＳ、ＩＮ００１−３５−ＦＳ、ＩＮ００１−４０−ＦＳ、ＩＮ００１−４５−ＦＳ、ＩＮ００１−５０−ＦＳ、ＩＮ００１−５５−ＦＳ、ＩＮ００１−６０−ＦＳ、ＩＮ００１−６５−ＦＳ、ＩＮ００１−７０−ＦＳ、ＩＮ００１−７５−ＦＳ、ＩＮ００６−２５−ＦＳ、ＩＮ００６−２５−ＦＳ、ＩＮ００６−３０−ＦＳ、ＩＮ００６−３５−ＦＳ、ＩＮ００６−４０−ＦＳ、ＩＮ００６−４５−ＦＳ、ＩＮ００６−５０−ＦＳ、ＩＮ００６−５５−ＦＳ、ＩＮ００６−６０−ＦＳ、ＩＮ００１−６５−ＦＳ及び／又は米国特許第８５７４２７３号明細書及び国際出願ＰＣＴ／ＵＳ２０１４／０２０６７８号明細書において説明される骨スクリューである。より好ましくない実施形態において、流動性媒体（例えば、骨セメント）は、例えば、本発明の骨ドリルガイドを用いて骨の中に穿孔された穴の中へ流動性媒体を挿入することによって、骨スクリューなしに使用できる。本発明の骨ドリルガイドは、例えば上下顎骨もしくは頭蓋顔面固定、��階的形成術において骨欠損を修復するための一時的固定、関節窩もしくは上腕骨固定、膝蓋固定、又は脊椎固定に使用できる。
【００９３】
いくつかの治療方法において、弧状要素１４２のピン穴１４３は、適切なガイドワイヤの位置付け及び穿孔を容易にするため及び骨（例えば大腿骨）上での骨ドリルガイドの安定化を助けるために使用される。この方法において、ガイドワイヤ又はピンは、ピン穴１４３を（例えば図３６Ａの矢印方向に）通過して軟組織の中へ（例えば広筋中間下方及び大腿骨頸部表面に沿って大腿骨頭の中へ）挿入されて、正確な前傾／後傾照準を可能にし、かつ大腿骨幹部及び大腿骨頸部の長手面に対して上及び下位置にある骨ドリルガイドを適切に並進させる。処置の効率を上げるだけでなく、このステップは、骨ドリルガイドの上又は下の位置付け不良を避けるのを助け、それによって骨における装置又はインプラントの位置異常を避けて、大腿骨内での装置の上過ぎ又は下過ぎ配置を避けるのを助ける。
【００９４】
椎骨固定のために、骨ドリルガイドは、骨スクリューのガイドとして役立てるために、ガイドワイヤを挿入するために使用でき、骨スクリューは、椎弓根内に配置でき、椎体間装置を固定するために使用でき、脊椎固定プレート及びスペーサリプレイスメントを固定するために使用でき、骨粗鬆症椎骨に使用でき、又は隣り合う椎骨の棘突起に近接して位置付けできる。
【００９５】
本発明の骨ドリルガイドを使用する治療方法は、骨欠損に近接してロッド、ピン、ネイル又は骨プレートを挿入することも含むことができる。これらの装置の１つ又は複数は、骨スクリューと一緒に又は骨スクリューと別個に使用できる。
【００９６】
骨スクリューを用いて圧迫固定を与えるためにこの方法が実施されるとき、方法は、任意のステップｅ）の前に、ｉ）骨スクリューの近位端部（スクリュー頭部付近）に被せてワッシャを配置すること、ｉｉ）骨折線を通過するように骨スクリューの遠位端部を骨の中へ挿入すること、及びｉｉｉ）骨スクリューの遠位ねじ山が骨スクリュー頭部（及びワッシャ）を患者の骨表面へ引き付ける圧縮力を与えるように骨スクリューを締めること、を含むことができる。
【００９７】
実施例
【００９８】
下記の実施例は本発明を例示するためのものである。実施例は本発明を限定するものでは決してない。
【００９９】
実施例１−骨折又はその他の骨欠損を修復するための、本発明の骨ドリルガイドの使用
【０１００】
本発明の骨ドリルガイドは、大腿骨頸部の骨折の修復において有用である。図１７に示すように、骨ドリルガイドは、骨ドリルガイドの弧状要素の曲率に合致する凸状を有する側方凸状近位大腿骨の部位に適用される。骨ドリルガイドは、大腿骨頸部の内側下距に沿って下ガイドワイヤを挿入するための位置を識別するために大腿骨の軸線に沿って近位又は遠位に並進される。画像強化Ｘ線造影図の助けを借りて空間に線を投射することによって軌道が生成される。ハンドルは、股関節の真の側方の側方Ｘ線造影図を用いて大腿骨頭頸部の正確な前傾に整列するために、長手大腿骨軸部の平面に対して９０°上へ又は下へ回される。
【０１０１】
３.２ｍｍ下ガイドワイヤは、骨ドリルガイドの内部チャンネルの中へ挿入され、大腿骨頭部の関節面の約１０ｍｍ内へ前進される（図１８）。ガイドワイヤの軌道は、ハンドルによりガイドに対して軸方向にわずかな圧力を加えることによって維持される。側方大腿骨の凸状と骨ドリルガイドの弧状要素の凹状の合致は、大腿骨へのガイドワイヤの挿入時に安定性を与える。
【０１０２】
左股関節の大腿骨頸部骨折の修復のために、スリーブは、ガイドワイヤ（その後スリーブを通過して大腿骨の中へ挿入される）が、内部チャンネルを通過して既に挿入されている基準３.２ｍｍガイドワイヤから頭側方向にあるように（図１９）、骨ドリルガイドの前上周縁ガイド孔の中へ挿入される（図１９参照）。第２の３.２ｍｍガイドワイヤは、ドリルガイドの前上周縁ガイド孔の中へ挿入された上スリーブを通過して大腿骨の中へ貫入される（図２０）。ハンドルを回転することによって、操作者は、大腿骨頭部内で大腿骨の前頸部にできる限り近くにガイドワイヤが含まれるようにする最適の前方位置を選択できる。これによって、その後のステップで７.３ｍｍの直径の骨スクリューを挿入できるようにする。次に、第２のスリーブが、挿入したばかりの前ガイドワイヤの後の周縁ガイド孔の中へ挿入され、第３のガイドワイヤは、骨折の安定のために共線的な逆三角形（Ｖ）を生成するようにスリーブを通過して大腿骨の中へ貫入される（図２０。この図では、第２のスリーブは見えない。）。図２１は、適切に整列し間隔を置いた位置においてドリルガイドを通過して大腿骨の中へ挿入された３本全てのガイドワイヤを示す。骨ドリルガイドは、ガイドワイヤに沿って挿入される骨スクリューの間に６０°の間隔を予め選択する。これによって、大腿骨側方皮質上でのインプラント（ワッシャを含めて）の重なりを回避する。
【０１０３】
骨ドリルガイドが取り除かれる（図２２）。５.５ｍｍドリルガイドが下ガイドワイヤに被せて挿入され、大腿骨内でのガイドワイヤの長さを決定するために深さゲージが取り付けられる。これによって、計測値に合致する適切な長さの７.３ｍｍ骨スクリューを選択できる。大腿骨内での２つの前ガイドワイヤの長さは、これらのガイドワイヤに沿って挿入される骨スクリューの長さを選択するための方法と同じ方法を用いて任意に計測できる。
【０１０４】
カニューレ式ドリルビットは、下ガイドワイヤに沿って５.５ｍｍドリルガイドを通過して挿入され、大腿骨頭部又は関節面の中へ過剰に侵入しないように気を付けながら計測長さのピンが貫入される（図２４）。任意に、大腿骨整復が安定している場合又は他の一時的装置によって暫定的に固定される場合、同じ方法を用いて構成体のガイドワイヤの全てをオーバードリルできる（図２５）。暫定的安定化なしに３つの全てのピンをオーバードリルすると、不安定な骨折において整復を損なうことになる可能性がある。
【０１０５】
回転ドライバ（即ち、カニューレ式スクリュードライバ）が、カニューレ式の部分的ねじ切りスクリュー（即ち、７.３ｍｍＮ−ＦＯＲＣＥ  ＦＩＸＡＴＩＯＮ  ＳＹＳＴＥＭ（商標）（米国テネシー州メンフィス、ＩｎｎｏＶｉｓｉｏｎ）非窓穴付きスクリュー）のスクリュー頭部の中へ、取り付けられたフラットワッシャと一緒に挿入される。その後、７.３ｍｍカニューレ式の部分的にねじ切りされたスクリューが、下ガイドワイヤに被せて挿入される（図２６）。骨折は、スクリュードライバを用いて骨スクリューを挿入することによって手動で圧迫される。下スクリューはラグ装置であり、安定性の強化のために骨折部位へ対する圧迫を誘発できる（図２７）。
【０１０６】
近位の２本のガイドワイヤについては、カニューレ式窓穴付き骨スクリュー（例えばＮ−ＦＯＲＣＥ  ＦＩＸＡＴＩＯＮ  ＳＹＳＴＥＭ（商標）（米国テネシー州メンフィス、ＩｎｎｏＶｉｓｉｏｎ）カニューレ式窓穴付き骨スクリューを含めて、米国特許第８５７４２７３明細書及び国際出願ＰＣＴ／ＵＳ２０１４／０２０６７８号明細書において説明されるスクリュー）が、強化された固定及びカニューレ式窓穴付き骨スクリューを通過して流動性媒体（例えば、骨セメント）を挿入する能力のために、差込ワッシャと一緒に使用される。大腿骨の近皮質は、７.３ｍｍ座ぐりドリルビットでオーバードリルされる（図２８）。カニューレ式窓穴付き骨スクリュー（即ち、Ｎ−ＦＯＲＣＥ  ＦＩＸＡＴＩＯＮ  ＳＹＳＴＥＭ（商標）７.３ｍｍ窓穴付き骨スクリュー）が近位注入シースに組み付けられ（米国特許第８５７４２７３明細書又は国際出願ＰＣＴ／ＵＳ２０１４／０２０６７８号明細書において説明されるように）、７.３ｍｍ差込ワッシャは、ワッシャの拡張部をスクリューの頭部へ向けてスクリューに被せて挿入される。カニューレ式スクリュードライバは、シースを通過してスクリュー頭部へ挿入される（図２９）。スクリュー、差込ワッシャ及びシース外側カニューレは、ワッシャが大腿骨の側方皮質に当接するまで、３.２ｍｍ前ガイドワイヤに被せて大腿骨の中へ挿入される（図３０）。組立体が、手の力できちんと締められる。このプロセスは、第２の前３.２ｍｍガイドワイヤについても反復できる（図示せず）。
【０１０７】
３.２ｍｍガイドワイヤが取り除かれ、予定の流動性媒体と一緒にルアロック接続のためのインジェクタポートが近位注入シースの中へ挿入される（図３１）。流動性媒体は、カニューレ式窓穴付き骨スクリューを通過して骨の中へ注入できる。図３２は、大腿骨近位小柱網状組織の中への流動性媒体の貫入の断面図である。スクリューの同軸整列によって、流動性媒体は骨内で３つのスクリュー全てと相互作用できる。この円周増強は、骨セメントが使用される場合、骨内部に内部支持壁の形成を導くことができる。シースは、流動性媒体の注入後取り除かれて、手動スクリュードライバが骨スクリューの頭部の中へ挿入される。次に、内側注入シースが取り除かれる。これによって、操作者はスクリュー頭部にスクリュードライバを容易にロックオンでき、スクリューの最終締付けを完了できる（図３３）。外側シースは、スクリュードライバ軸部を容易に上方に滑動して、スクリュードライバの係合を損なうことなく最終締付けできるようにして、事実上自己保持スクリュードライバ要素として機能する。
【０１０８】
その他の実施形態
【０１０９】
上記明細書において言及した全ての文献、特許及び特許出願は、参照により本明細書に援用される。本発明の上記の方法及びシステムの様々な修正及び変更は、本発明の範囲及び主旨から逸脱することなく当業者には明白である。本発明について具体的実施形態に関連して説明したが、主張される本発明は、このような具体的実施形態に不当に限定されるべきではないことが分かるはずである。事実、本発明を実施するための上記の様式の当業者には自明の様々な修正は、本発明の範囲内に在るものとする。本出願は、概略的に本発明の原則に従う本発明の変更、使用又は適合であって、本発明が属する分野において既知の慣行内に在りかつ上述の基本的特徴に適用できる本開示からの逸脱を含む本発明の変更、使用又は適合を包括するものとする。
【０１１０】
その他の実施形態は特許請求の範囲に含まれる。
［構成１］
骨ドリルガイドであって、
ａ）遠位端部と近位端部とを有する軸部と、
ｂ）前記軸部の前記遠位端部に取り付けられた弧状要素であって、前記弧状要素が骨上に着座するサイズを持つ、弧状要素と、
ｃ）前記軸部の前記近位端部に取り付けられたガイドベースであって、前記ガイドベースが少なくとも２つの周縁ガイド孔を備え、前記周縁ガイド孔の各々が前記軸部の周りに位置付けられる、ガイドベースと、
ｄ）前記ガイドベース、前記軸部及び前記弧状要素を貫通する内部チャンネルと、
を備える、骨ドリルガイド。
［構成２］
前記軸部が約１００ｍｍから約３００ｍｍの長さを有する、構成１に記載のガイド。
［構成３］
前記弧状要素が、約１５ｍｍから約６０ｍｍの弧長を持つ凹状面を有する、構成１又は２に記載のガイド。
［構成４］
前記弧長が約３９ｍｍである、構成３に記載のガイド。
［構成５］
前記弧状要素が、約１０８°の中心角を持つ凹状面を有する、構成１から４のいずれか１つに記載のガイド。
［構成６］
前記周縁ガイド孔の各々が、約２ｍｍから約７ｍｍの直径を有する、構成１から５にいずれか１つに記載のガイド。
［構成７］
前記内部チャンネルが、約２ｍｍから約７ｍｍの直径を有する、構成１から６のいずれか１つに記載のガイド。
［構成８］
前記内部チャンネルが、約１００ｍｍから約３００ｍｍの長さを有する、構成１から７のいずれか１つに記載のガイド。
［構成９］
前記周縁ガイド孔の各々が中点を有し、かつ、前記周縁ガイド孔の少なくとも２つが、前記周縁ガイド孔の中点から測定して約１０ｍｍから約３５ｍｍ離れて位置付けられる、構成１から８のいずれか１つに記載のガイド。
［構成１０］
前記内部チャンネルが中点を有し、前記中点が、前記周縁ガイド孔の少なくとも２つの中点から約１０ｍｍから約２０ｍｍに位置付けられる、構成１から９のいずれか１つに記載のガイド。
［構成１１］
前記周縁ガイド孔の各々の長手軸が、前記内部チャンネルの長手軸に対して実質的に平行である、構成１から１０のいずれか１つに記載のガイド。
［構成１２］
前記ガイドが、
ａ）前記軸部が約１００ｍｍから約３００ｍｍの長さを有する、かつ／又は
ｂ）前記弧状要素が約１５ｍｍから約６０ｍｍの弧長を持つ凹状面を有する、かつ／又は
ｃ）前記周縁ガイド孔が約２ｍｍから約７ｍｍの直径を有する、かつ／又は
ｄ）前記内部チャンネルが約２ｍｍから約７ｍｍの直径を有する、かつ／又は
ｅ）前記内部チャンネルが約１００ｍｍから約３００ｍｍの長さを有する、かつ／又は
ｆ）前記周縁ガイド孔が、各々中点を有し、周縁ガイド孔がそれらの中点から測定して約１０ｍｍから約３５ｍｍ離して位置付けられる、かつ／又は
ｇ）前記内部チャンネルが中点を有し、前記周縁ガイド孔の１つ以上の前記中点から約１０ｍｍから約２０ｍｍに位置付けられる、かつ／又は
ｈ）前記周縁ガイド孔が前記内部チャンネルに対して実質的に平行である、
という特徴の２つ以上を備える、構成１に記載のガイド。
［構成１３］
特徴ａ）からｈ）の各々を備える、構成１２に記載のガイド。
［構成１４］
前記ガイドベースが２つの周縁ガイド孔を含む、構成１から１３のいずれか１つに記載のガイド。
［構成１５］
前記周縁ガイド孔の前記中点が約１３.１ｍｍ離れ、かつ各周縁ガイド孔の前記中点が前記内部チャンネルから前記中点から約１３.２ｍｍにある、構成１４に記載のガイド。
［構成１６］
前記ガイドベースが３つの周縁ガイド孔を備える、構成１から１３のいずれか１つに記載のガイド。
［構成１７］
前記ガイドベースが４つの周縁ガイド孔を備える、構成１から１３のいずれか１つに記載のガイド。
［構成１８］
前記周縁ガイド孔が前記内部チャンネルの周りに放射状に位置付けられる、構成１６又は１７に記載のガイド。
［構成１９］
前記周縁ガイド孔の各々の前記中点が、前記内部チャンネルの前記中点から約１０ｍｍから約２０ｍｍに位置付けられる、構成１７に記載のガイド。
［構成２０］
第１の周縁ガイド孔及び第２の周縁ガイド孔の前記中点が約２６.４ｍｍ離れ、第３の周縁ガイド孔及び第４の周縁ガイド孔の前記中点が約２６.４ｍｍ離れ、前記第１の周縁ガイド孔及び前記第３の周縁ガイド孔の中点並びに前記第２の周縁ガイド孔及び前記第４の周縁ガイド孔の中点が約１３.１ｍｍ離れ、前記周縁ガイド孔の各々の前記中点が前記内部チャンネルの前記中点から約１３.２ｍｍに在り、前記内部チャンネルの前記中点が前記第１の周縁ガイド孔と前記第２の周縁ガイド孔との間及び前記第３の周縁ガイド孔と前記第４の周縁ガイド孔との間のほぼ中間に在る、構成１９に記載のガイド。
［構成２１］
前記ガイドベースが４つよりも多い周縁ガイド孔を備える、構成１から１３のいずれか１つに記載のガイド。
［構成２２］
前記ガイドが、前記ガイドベースの前記周縁ガイド孔の中へ滑動可能に挿入できる少なくとも２つのスリーブを更に備え、各スリーブがチャンネルを備える、構成１から２１のいずれか１つに記載のガイド。
［構成２３］
前記ガイドが、４つの周縁ガイド孔の中へ挿入するための４つのスリーブを更に備える、構成１から１３又は１７から２２のいずれか１つに記載のガイド。
［構成２４］
前記スリーブの前記スリーブチャンネルが約４.２ｍｍから約４.３ｍｍの直径及び約１４３.７ｍｍから約１４４ｍｍの長さを有する、構成２２又は２３に記載のスリーブ。
［構成２５］
前記ガイドが、更にハンドルを備える、構成１から２４のいずれか１つに記載のガイド。
［構成２６］
前記ハンドルが、前記ガイドベースに接続されたハンドル軸部と、ハンドル握り部とを備える、構成２５に記載のガイド。
［構成２７］
前記ハンドル軸部が約７０ｍｍから約１１０ｍｍの長さである、構成２６に記載のガイド。
［構成２８］
前記ハンドル握り部が約９０ｍｍから約１５０ｍｍの長さである、構成２６又は２７に記載のガイド。
［構成２９］
前記ハンドルが前記ガイドベースから取外し可能である、構成２５から２８のいずれか１つに記載のガイド。
［構成３０］
前記ガイドベースに対する前記ハンドルの角度が調節可能である、構成２５から２９のいずれか１つに記載のガイド。
［構成３１］
前記弧状要素又は前記ガイドベースが前記軸部に分離可能に取り付けられる、構成１から３０のいずれか１つに記載のガイド。
［構成３２］
前記内部チャンネル及び前記周縁ガイド孔がこれらを通過して滑動可能に器材を挿入できるサイズを持つ、構成１から３１のいずれか１つに記載のガイド。
［構成３３］
前記器材が、ガイドワイヤ、ガイドピン、スリーブ及びドリルビットから成る群から選択される、構成３２に記載のガイド。
［構成３４］
前記ガイドベースが近位端部と遠位端部とを有し、前記遠位端部が前記軸部に取り付けられ、前記ガイドベースの前記遠位端部がノーズ及び／又はノーズ先端部を有する、構成１から３３のいずれか１つに記載のガイド。
［構成３５］
前記弧状要素の曲率又はサイズが調節可能である、構成１から３４のいずれか１つに記載のガイド。
［構成３６］
前記弧状要素が前記軸部の前記長手軸に対して平行の１つ以上の孔を備え、好ましくは、前記弧状要素が２つ以上の孔を備える、構成１から３５のいずれか１つに記載のガイド。
［構成３７］
骨の中へ器材を挿入する方法であって、
ａ）構成１から３６のいずれか１つに記載のガイドを、前記弧状要素を用いて前記骨に近接して位置付けることと、
ｂ）前記内部チャンネルを通過して又は前記ガイドの前記周縁ガイド孔の１つを通過して前記骨の中へ前記器材を挿入することと、
を含む、方法。
［構成３８］
前記ガイド又は器材を前記骨上の位置と整列するためにＸ線又は蛍光が使用される、構成３７に記載の方法。
［構成３９］
前記器材が、ガイドワイヤ、ガイドピン、髄内ネイル、プレート装置、外部固定ピン及びドリルビットから成る群から選択される、構成３７又は３８に記載の方法。
［構成４０］
前記器材が前記内部チャンネルを通過して前記骨の中へ挿入される、構成３７から３９のいずれか１つに記載の方法。
［構成４１］
器材の複数のピースが前記ガイドを用いて前記骨の中へ挿入される、構成３７から４０のいずれか１つに記載の方法。
［構成４２］
器材の少なくとも２つのピースが順次前記骨の中へ挿入され、器材の第１のピースがまず前記内部チャンネルを通過して前記骨の中へ挿入され、器材の少なくとも１つのその後のピースが第１の周縁ガイド孔を通過して前記骨の中へ挿入される、構成４１に記載の方法。
［構成４３］
器材の前記第１及び第２のピースがガイドワイヤである、構成４２に記載の方法。
［構成４４］
第３のガイドワイヤが第２の周縁ガイド孔を通過して前記骨の中へ挿入される、構成４３に記載の方法。
［構成４５］
前記ガイドワイヤの任意の２つの間の距離が約１０ｍｍから約３５ｍｍである、構成４４に記載の方法。
［構成４６］
前記ガイドワイヤに任意の２つの間の距離が約１３.２ｍｍである、構成４５に記載の方法。
［構成４７］
前記ガイドワイヤが、前記骨の中へ約５０ｍｍから１３０ｍｍ挿入される、構成４３から４６のいずれか１つに記載の方法。
［構成４８］
前記ガイドワイヤの各々が前記骨の中へ実質的に同じ深さまで挿入される、構成４７に記載の方法。
［構成４９］
更に、前記ガイドを取り外して、カニューレ式ドリルビットを用いて前記ガイドワイヤをオーバードリルすることを含む、構成４３から４８のいずれか１つに記載の方法。
［構成５０］
１つ以上の骨スクリューが前記ガイドワイヤに沿って前記骨の中へ挿入される、構成４９に記載の方法。
［構成５１］
前記骨スクリューがカニューレ式でありかつ窓穴付きである、構成５０に記載の方法。
［構成５２］
流動性媒体が前記骨スクリューの中へ導入される、構成５０又は５１に記載の方法。
［構成５３］
前記流動性媒体が、骨ボイドフィラー、骨セメント又は薬剤である、構成５２に記載の方法。
［構成５４］
前記方法が骨欠損の修復を含む、構成３７から５３のいずれか１つに記載の方法。
［構成５５］
前記骨欠損が、橈骨、尺骨、腓骨、鎖骨、上腕骨、骨盤、大腿骨、膝蓋、脛骨、距骨、踵骨、舟状骨、楔状骨、中足骨、中手骨、趾骨、肩甲骨、踝、下顎骨又は椎骨の欠損を含む、構成５４に記載の方法。
［構成５６］
前記骨欠損が骨折である、構成５４又は５５に記載の方法。
［構成５７］
前記骨が大腿骨であり、前記欠損が前記大腿骨頸部の骨折である、構成５６に記載の方法。
［構成５８］
ａ）構成１から３６のいずれか１つに記載のガイド、
ｂ）構成２２から２４のいずれか１つに記載のスリーブの少なくとも２つ、
の１つもしくは複数又は全てを備えるキットであって、
前記キットが、任意に、深さゲージ、ガイドワイヤ、ドリルビット、骨スクリュー、自硬性骨セメントパウダー及び前記キットを使用するための指示のうちの１つ以上を備える、
キット。
［構成５９］
前記キットが、構成１から３６のいずれか１つに記載のガイドと、構成２２から２４のいずれか１つに記載のスリーブの少なくとも２つを備える、構成５８に記載のキット。
［構成６０］
前記ガイドの前記弧状要素の曲率又はサイズが調節可能である、構成５８又は５９に記載のキット。
［構成６１］
前記弧状要素又は前記ガイドベースが、前記ガイドの前記軸部に分離可能に取り付けられる、構成５８から６０のいずれか１つに記載のキット。
【図１Ａ】
0006445704.tif 000002
【図１Ｂ】
0006445704.tif 000003
【図２Ａ】
0006445704.tif 000004
【図２Ｂ】
0006445704.tif 000005
【図２Ｃ】
0006445704.tif 000006
【図３Ａ】
0006445704.tif 000007
【図３Ｂ】
0006445704.tif 000008
【図３Ｃ】
0006445704.tif 000009
【図３Ｄ】
0006445704.tif 000010
【図３Ｅ】
0006445704.tif 000011
【図３Ｆ】
0006445704.tif 000012
【図３Ｇ】
0006445704.tif 000013
【図４Ａ】
0006445704.tif 000014
【図４Ｂ】
0006445704.tif 000015
【図４Ｃ】
0006445704.tif 000016
【図５Ａ】
0006445704.tif 000017
【図５Ｂ】
0006445704.tif 000018
【図６Ａ】
0006445704.tif 000019
【図６Ｂ】
0006445704.tif 000020
【図６Ｃ】
0006445704.tif 000021
【図７Ａ】
0006445704.tif 000022
【図７Ｂ】
0006445704.tif 000023
【図８Ａ】
0006445704.tif 000024
【図８Ｂ】
0006445704.tif 000025
【図９Ａ】
0006445704.tif 000026
【図９Ｂ】
0006445704.tif 000027
【図１０Ａ】
0006445704.tif 000028
【図１０Ｂ】
0006445704.tif 000029
【図１１Ａ】
0006445704.tif 000030
【図１１Ｂ】
0006445704.tif 000031
【図１２】
0006445704.tif 000032
【図１３】
0006445704.tif 000033
【図１４】
0006445704.tif 000034
【図１５】
0006445704.tif 000035
【図１６】
0006445704.tif 000036
【図１７】
0006445704.tif 000037
【図１８】
0006445704.tif 000038
【図１９】
0006445704.tif 000039
【図２０】
0006445704.tif 000040
【図２１】
0006445704.tif 000041
【図２２】
0006445704.tif 000042
【図２３】
0006445704.tif 000043
【図２４】
0006445704.tif 000044
【図２５】
0006445704.tif 000045
【図２６】
0006445704.tif 000046
【図２７】
0006445704.tif 000047
【図２８】
0006445704.tif 000048
【図２９】
0006445704.tif 000049
【図３０】
0006445704.tif 000050
【図３１】
0006445704.tif 000051
【図３２】
0006445704.tif 000052
【図３３】
0006445704.tif 000053
【図３４Ａ】
0006445704.tif 000054
【図３４Ｂ】
0006445704.tif 000055
【図３５Ａ】
0006445704.tif 000056
【図３５Ｂ】
0006445704.tif 000057
【図３５Ｃ】
0006445704.tif 000058
【図３５Ｄ】
0006445704.tif 000059
【図３５Ｅ】
0006445704.tif 000060
【図３５Ｆ】
0006445704.tif 000061
【図３６Ａ】
0006445704.tif 000062
【図３６Ｂ】
0006445704.tif 000063